(57)【特許請求の範囲】
【請求項１】
ユーザをグループと関連付ける方法であって、
第１の通信デバイスによって、第２の通信デバイスからの第１の関連付け要求を受信するステップであって、前記第１の関連付け要求が、ミッションクリティカルプッシュツートークオーバ（ＭＣＰＴＴ）ユーザの識別子及びＮ個のＭＣＰＴＴグループの識別子を含み、前記第１の関連付け要求が、前記ＭＣＰＴＴユーザを前記Ｎ個のＭＣＰＴＴグループと関連付けるように要求するために使用され、Ｎが１以上の整数である、ステップと、
前記第１の通信デバイスによって、前記ＭＣＰＴＴユーザの関連付けサブスクリプション情報に従って、前記ＭＣＰＴＴユーザを前記Ｎ個のＭＣＰＴＴグループのうちのＭ個のＭＣＰＴＴグループと関連付けるステップであって、前記ＭＣＰＴＴユーザの前記関連付けサブスクリプション情報が、前記ユーザが関連付けられることができるＭＣＰＴＴグループを示すために使用される、ステップと、
前記第１の通信デバイスによって、第１の関連付け応答を前記第２の通信デバイスへ送出するステップであって、前記第１の関連付け応答が、前記ＭＣＰＴＴユーザが前記Ｎ個のＭＣＰＴＴグループのうちの前記Ｍ個のＭＣＰＴＴグループと成功裏に関連付けられていることを示すために使用され、１≦Ｍ≦Ｎであり、Ｍが整数である、ステップとを含み、
前記第１の通信デバイスは、前記Ｍ個のＭＣＰＴＴグループを管理するよう構成された第１のＭＣＰＴＴサーバであり、前記第２の通信デバイスが、前記ユーザ機器（ＵＥ）であり、
前記関連付けるステップは、
前記第１の通信デバイスによって、前記Ｎ個のＭＣＰＴＴグループのグループ情報に従って取得される前記ＭＣＰＴＴユーザの第１の関連付けサブスクリプション情報に従って、１≦Ｒ≦Ｎであり、Ｒが整数であるとして、前記ＭＣＰＴＴユーザを前記Ｎ個のＭＣＰＴＴグループのうちのＲ個のＭＣＰＴＴグループと関連付けることを決定するステップと、
前記前記第１の通信デバイスによって、第２の関連付け要求を、前記ＭＣＰＴＴユーザを管理するよう構成された第２のＭＣＰＴＴサーバへ送出するステップであって、前記第２の関連付け要求が、前記ＭＣＰＴＴユーザの識別子及び前記Ｒ個のＭＣＰＴＴグループの識別子を含み、それにより、前記第２のＭＣＰＴＴサーバに、前記第２の関連付け要求と、前記ＭＣＰＴＴユーザのサブスクリプションデータに従って取得される前記ＭＣＰＴＴユーザの第２の関連付けサブスクリプションデータ情報とに従って、１≦Ｍ≦Ｒであるとして、前記ＭＣＰＴＴユーザを前記Ｒ個のＭＣＰＴＴグループのうちの前記Ｍ個のＭＣＰＴＴグループと関連付けることを決定するように要求する、ステップと、
前記第１の通信デバイスによって、前記第２のＭＣＰＴＴサーバによって送出された第２の関連付け応答を受信するステップであって、前記第２の関連付け応答が、前記第１の通信デバイスに、前記ＭＣＰＴＴユーザを前記Ｒ個のＭＣＰＴＴグループのうちの前記Ｍ個のＭＣＰＴＴグループと関連付けるように指示するために使用される、ステップと、
前記第１の通信デバイスによって、前記第２の関連付け応答に従って、前記ＭＣＰＴＴユーザを前記Ｍ個のＭＣＰＴＴグループと関連付けるステップと
を含む、方法。
【請求項２】
前記第１の通信デバイスによって、前記ＭＣＰＴＴユーザを前記Ｎ個のＭＣＰＴＴグループのうちのＭ個のＭＣＰＴＴグループと関連付ける前記ステップが、
前記第１の通信デバイスによって第１の関連付け情報を生成するステップを含み、前記第１の関連付け情報が、前記ＭＣＰＴＴユーザと前記Ｍ個のＭＣＰＴＴグループとの間の関連付け関係を示すために使用される、請求項１に記載の方法。
【請求項３】
前記第１の通信デバイスによって、前記ＭＣＰＴＴユーザの関連付けサブスクリプション情報に従って、前記ＭＣＰＴＴユーザを前記Ｎ個のＭＣＰＴＴグループのうちのＭ個のＭＣＰＴＴグループと関連付ける前記ステップの前に、更に、
前記第１の通信デバイスによって、前記Ｎ個のＭＣＰＴＴグループの前記グループ情報を前記Ｎ個のＭＣＰＴＴグループの前記識別子に従って取得するステップと、前記ＭＣＰＴＴユーザの前記第１の関連付けサブスクリプション情報を、前記Ｎ個のＭＣＰＴＴグループの前記グループ情報及び前記ＭＣＰＴＴユーザの前記識別子に従って取得するステップとを含む、請求項１又は２に記載の方法。
【請求項４】
第１の通信デバイスとして使用される通信デバイスであって、
第２の通信デバイスからの第１の関連付け要求を受信するように構成された受信ユニットであって、前記第１の関連付け要求が、ミッションクリティカルプッシュツートークオーバ（ＭＣＰＴＴ）ユーザの識別子及びＮ個のＭＣＰＴＴグループの識別子を含み、前記第１の関連付け要求が、前記ＭＣＰＴＴユーザを前記Ｎ個のＭＣＰＴＴグループと関連付けるように要求するために使用され、Ｎが１以上の整数である、受信ユニットと、
前記ＭＣＰＴＴユーザの関連付けサブスクリプション情報に従って、前記ＭＣＰＴＴユーザを前記Ｎ個のＭＣＰＴＴグループのうちのＭ個のＭＣＰＴＴグループと関連付けるように構成された処理ユニットであって、前記ＭＣＰＴＴユーザの前記関連付けサブスクリプション情報が、前記ＭＣＰＴＴユーザが関連付けられることができるＭＣＰＴＴグループを示すために使用される、処理ユニットと、
第１の関連付け応答を前記第２の通信デバイスへ送出するように構成された送出ユニットであって、前記第１の関連付け応答が、前記ＭＣＰＴＴユーザが前記Ｎ個のＭＣＰＴＴグループのうちの前記Ｍ個のＭＣＰＴＴグループと成功裏に関連付けられていることを示すために使用され、１≦Ｍ≦Ｎであり、Ｍが整数である、送出ユニットと
を備え、
前記第１の通信デバイスは、前記Ｍ個のＭＣＰＴＴグループを管理するよう構成された第１のＭＣＰＴＴサーバであり、前記第２の通信デバイスが、前記ユーザ機器（ＵＥ）であり、
前記処理ユニットは具体的に、
前記Ｎ個のＭＣＰＴＴグループのグループ情報に従って取得される前記ＭＣＰＴＴユーザの第１の関連付けサブスクリプション情報に従って、１≦Ｒ≦Ｎであり、Ｒが整数であるとして、前記ＭＣＰＴＴユーザを前記Ｎ個のＭＣＰＴＴグループのうちのＲ個のＭＣＰＴＴグループと関連付けることを決定し、
第２の関連付け要求を、前記ＭＣＰＴＴユーザを管理するよう構成された第２のＭＣＰＴＴサーバへ送出し、前記第２の関連付け要求が、前記ＭＣＰＴＴユーザの識別子及び前記Ｒ個のＭＣＰＴＴグループの識別子を含み、それにより、前記第２のＭＣＰＴＴサーバに、前記第２の関連付け要求と、前記ＭＣＰＴＴユーザのサブスクリプションデータに従って取得される前記ＭＣＰＴＴユーザの第２の関連付けサブスクリプションデータ情報とに従って、１≦Ｍ≦Ｒであるとして、前記ＭＣＰＴＴユーザを前記Ｒ個のＭＣＰＴＴグループのうちの前記Ｍ個のＭＣＰＴＴグループと関連付けることを決定するように要求し、
前記第２のＭＣＰＴＴサーバによって送出された第２の関連付け応答を受信し、前記第２の関連付け応答が、前記第１の通信デバイスに、前記ＭＣＰＴＴユーザを前記Ｒ個のＭＣＰＴＴグループのうちの前記Ｍ個のＭＣＰＴＴグループと関連付けるように指示するために使用され、
前記第２の関連付け応答に従って、前記ＭＣＰＴＴユーザを前記Ｍ個のＭＣＰＴＴグループと関連付ける
よう構成される、通信デバイス。
【請求項５】
前記処理ユニットが前記ＭＣＰＴＴユーザを前記Ｎ個のＭＣＰＴＴグループのうちの前記Ｍ個のＭＣＰＴＴグループと関連付ける場合、前記処理ユニットが、第１の関連付け情報を生成するように構成され、前記第１の関連付け情報が、前記ＭＣＰＴＴユーザと前記Ｍ個のＭＣＰＴＴグループとの間の関連付け関係を示すために使用される、請求項４に記載の通信デバイス。
【請求項６】
プログラムが記録されているコンピュータ読み取り可能な記憶媒体であって、前記プログラムが、請求項１から３のいずれかに記載の方法をコンピュータに実行させる、コンピュータ読み取り可能な記憶媒体。
【請求項７】
プログラムであって、当該プログラムがコンピュータに請求項１から３のいずれかに記載の方法を実行させる、プログラム。
【発明の詳細な説明】
【技術分野】
【０００１】
本発明の実施例は通信技術の分野に関連し、詳細には、ユーザをグループと関連付ける方法及びデバイスに関する。
【背景技術】
【０００２】
ミッションクリティカルプッシュツートークオーバ（英語：Ｍｉｓｓｉｏｎ  ｃｒｉｔｉｃａｌ  ｐｕｓｈ  ｔｏ  ｔａｌｋ  ｏｖｅｒ，略称ＭＣＰＴＴ）サービスは、３ＧＰＰ進化型パケットシステム（英語：Ｅｖｏｌｖｅｄ  Ｐａｃｋｅｔ  Ｓｙｓｔｅｍ，略称ＥＰＳ）に基づくサービスであり、公衆安全及び業務の場面に適用され得る。ＭＣＰＴＴサービスは、多数のＭＣＰＴＴユーザの通信（すなわちグループ呼）をサポートすることができ、各ＭＣＰＴＴユーザは、調停によってフロアを取得することができる。
【０００３】
従来技術では、ＭＣＰＴＴユーザは、事前設定ＭＣＰＴＴグループ、たとえば警察隊又は消防隊に属するように構成される。その場合、ＭＣＰＴＴユーザは、互いによりよく連係して職務を完遂するために、事前設定ＭＣＰＴＴグループ内でグループ通信を行う。しかし、ＭＣＰＴＴユーザは、ＭＣＰＴＴユーザが関心を持つＭＣＰＴＴグループに加わる選択をすることができない。３ＧＰＰドラフトＳ６−１５０２８６“MCPTT  Group  affiliation”には、ＭＣＰＴＴグループのアフィリエーション方法が開示されている。米国特許出願公開第２００４／１２５７６０（Ａ１）号には、エンドポイントをグループにアフィリエイトし、そのアフィリエイトされたエンドポイントについての共通の通信機能を決定する方法が開示されている。
【発明の概要】
【０００４】
本発明は、添付の独立請求項によって意義される。本発明の実施例は、ＭＣＰＴＴユーザをＭＣＰＴＴユーザが関心を持つ少なくとも１つのＭＣＰＴＴグループと関連付けるための、ユーザをグループと関連付ける方法及びデバイスを提供する。
【０００５】
第１の態様によれば、本発明の一実施例は、ユーザをグループと関連付ける方法を提供し、この方法は、
第１の通信デバイスによって、第２の通信デバイスによって送出された第１の関連付け要求を受信するステップであって、第１の関連付け要求が、ＭＣＰＴＴユーザの識別子及びＮ個のＭＣＰＴＴグループの識別子を含み、第１の関連付け要求が、ＭＣＰＴＴユーザをＮ個のＭＣＰＴＴグループと関連付けるように要求するために使用され、Ｎが１以上の整数であるステップと、
第１の通信デバイスによって、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けるステップであって、ＭＣＰＴＴユーザの関連付けサブスクリプション情報が、ユーザが関連付けられることができるＭＣＰＴＴグループを示すために使用されるステップと、
第１の通信デバイスによって、第１の関連付け応答を第２の通信デバイスへ送出するステップであって、第１の関連付け応答が、ＭＣＰＴＴユーザがＮ個のＭＣＰＴＴグループのうちのＭ個のＭＣＰＴＴグループと成功裏に関連付けられていることを示すために使用され、１≦Ｍ≦Ｎであり、Ｍが整数であるステップとを含む。
【０００６】
第１の態様の第１の可能な実施方式では、第１の通信デバイスが、グループデータベースの配置のために構成されたネットワークデバイスであり、又は、第１の通信デバイスが、第１のＭＣＰＴＴサーバであるとともに、第１のＭＣＰＴＴサーバがＭＣＰＴＴユーザを管理するように構成されたＭＣＰＴＴサーバであるか若しくはＮ個のＭＣＰＴＴグループを管理するように構成されたＭＣＰＴＴサーバであり、
第２の通信デバイスが、ユーザ機器ＵＥ（英語：Ｕｓｅｒ  Ｅｑｕｉｐｍｅｎｔ，略称ＵＥ）である。
【０００７】
第１の態様の第２の可能な実施方式では、第１の通信デバイスが、Ｎ個のＭＣＰＴＴグループを管理するように構成されたＭＣＰＴＴサーバであり、第２の通信デバイスが、ＭＣＰＴＴユーザを管理するように構成されたＭＣＰＴＴサーバである。
【０００８】
第１の態様の第１の可能な実施方式に関連して、第１の態様の第３の可能な実施方式では、第１の通信デバイスが、Ｎ個のＭＣＰＴＴグループを管理するように構成されたＭＣＰＴＴサーバである場合、第１の通信デバイスによって、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けるステップが、
第１の通信デバイスによって、ＭＣＰＴＴユーザの関連付けサブスクリプション情報に従って、ＭＣＰＴＴユーザをＮ個のＭＣＰＴＴグループのうちのＲ個のＭＣＰＴＴグループと関連付けることを決定するステップであって、１≦Ｒ≦Ｎであり、Ｒが整数であるステップと、
第１の通信デバイスによって、第２の関連付け要求を、ＭＣＰＴＴユーザを管理するように構成されたＭＣＰＴＴサーバへ送出するステップであって、第２の関連付け要求が、ＭＣＰＴＴユーザの識別子及びＲ個のＭＣＰＴＴグループの識別子を含み、それにより、ＭＣＰＴＴユーザを管理するように構成されたＭＣＰＴＴサーバが、第２の関連付け要求及びＭＣＰＴＴユーザの関連付けサブスクリプション情報に従って、ＭＣＰＴＴユーザをＲ個のＭＣＰＴＴグループのうちのＭ個のＭＣＰＴＴグループと関連付けることを決定し、１≦Ｍ≦Ｒであるステップと、
第１の通信デバイスによって、ＭＣＰＴＴユーザを管理するように構成されたＭＣＰＴＴサーバによって送出された第２の関連付け応答を受信するステップであって、第２の関連付け応答が、ＭＣＰＴＴユーザをＲ個のＭＣＰＴＴグループのうちのＭ個のＭＣＰＴＴグループと関連付けることを指示するために使用されるステップと、
第１の通信デバイスによって、第２の関連付け応答に従って、ＭＣＰＴＴユーザをＭ個のＭＣＰＴＴグループと関連付けるステップとを含む。
【０００９】
第１の態様の第１の可能な実施方式又は第１の態様の第２の可能な実施方式に関連して、第１の態様の第４の可能な実施方式では、第１の通信デバイスによって、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けるステップが、
第１の通信デバイスによって、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定するステップと、
第１の通信デバイスによって、ＭＣＰＴＴユーザをＭ個のＭＣＰＴＴグループと関連付けるステップとを含む。
【００１０】
第１の態様、又は第１の態様の第１から第４の可能な実施方式のいずれか１つに関連して、第１の態様の第５の可能な実施方式では、第１の通信デバイスによって、ＭＣＰＴＴユーザをＮ個のＭＣＰＴＴグループのうちのＭ個のＭＣＰＴＴグループと関連付けるステップが、
第１の通信デバイスによって第１の関連付け情報を生成するステップを含み、第１の関連付け情報が、ＭＣＰＴＴユーザとＭ個のＭＣＰＴＴグループとの間の関連付け関係を示すために使用される。
【００１１】
第１の態様の第５の可能な実施方式に関連して、第１の態様の第６の可能な実施方式では、第１の通信デバイスによって第１の関連付け情報を生成するステップの後に、この方法は更に、
第１の通信デバイスによって第１の関連付け情報を保存するステップを含む。
【００１２】
第１の態様の第５の可能な実施方式又は第１の態様の第６の可能な実施方式に関連して、第１の態様の第７の可能な実施方式では、第１の通信デバイスが、ＭＣＰＴＴユーザを管理するように構成されたＭＣＰＴＴサーバであるか、又はＮ個のＭＣＰＴＴグループを管理するように構成されたＭＣＰＴＴサーバである場合、第１の通信デバイスによって第１の関連付け情報を生成するステップの後に、この方法は更に、第１の通信デバイスによって、第１の関連付け情報をグループデータベースの配置のために構成されたネットワークデバイスへ送出するステップを含み、それにより、グループデータベースの配置のために構成されたネットワークデバイスが、第１の関連付け情報を保存する、或いは、
第１の通信デバイスが、ＭＣＰＴＴユーザを管理するように構成されたＭＣＰＴＴサーバであるか、又はグループデータベースの配置のために構成されたネットワークデバイスである場合、第１の通信デバイスによって第１の関連付け情報を生成するステップの後に、この方法は更に、第１の通信デバイスによって、第２の関連付け情報をＫ個の第２のＭＣＰＴＴサーバへ、第１の関連付け情報に従ってそれぞれ送出するステップを含み、それにより、それぞれの第２のＭＣＰＴＴサーバが受信した第２の関連付け情報を保存し、ここで１≦Ｋ≦Ｍであり、Ｋが整数であり、Ｋ個の第２のＭＣＰＴＴサーバによって管理されるＭＣＰＴＴグループがＭ個のＭＣＰＴＴグループを含み、それぞれの第２のＭＣＰＴＴサーバが、Ｍ個のＭＣＰＴＴグループのうちの少なくとも１つのＭＣＰＴＴグループを管理し、第２の関連付け情報の各要素が、ＭＣＰＴＴユーザと、第２の関連付け情報を受信する第２のＭＣＰＴＴサーバによって管理される少なくとも１つのＭＣＰＴＴグループとの間の関連付け関係を示すために使用される、或いは、
第１の通信デバイスが、Ｎ個のＭＣＰＴＴグループを管理するように構成されたＭＣＰＴＴサーバであるか、又はグループデータベースの配置のために構成されたネットワークデバイスである場合、第１の通信デバイスによって第１の関連付け情報を生成するステップの後に、この方法は更に、第１の通信デバイスによって第１の関連付け情報を、ＭＣＰＴＴユーザを管理するように構成されたＭＣＰＴＴサーバへ送出するステップを含み、それにより、ＭＣＰＴＴユーザを管理するように構成されたＭＣＰＴＴサーバが、第１の関連付け情報を保存する。
【００１３】
第１の態様、又は第１の態様の第１から第７の可能な実施方式に関連して、第１の態様の第８の可能な実施方式では、第１の通信デバイスによって、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けるステップの前に、この方法は更に、
第１の通信デバイスによって、ＭＣＰＴＴユーザのサブスクリプションデータをＭＣＰＴＴユーザの識別子に従って取得するステップと、ＭＣＰＴＴユーザの関連付けサブスクリプション情報をＭＣＰＴＴユーザのサブスクリプションデータに従って取得するステップとを含む、又は、
第１の通信デバイスによって、Ｎ個のＭＣＰＴＴグループのグループ情報をＮ個のＭＣＰＴＴグループの識別子に従って取得するステップと、ＭＣＰＴＴユーザの関連付けサブスクリプション情報をＮ個のＭＣＰＴＴグループのグループ情報及びＭＣＰＴＴユーザの識別子に従って取得するステップとを含む。
【００１４】
第１の態様、又は第１の態様の第１から第８の可能な実施方式のいずれか１つに関連して、第１の態様の第９の可能な実施方式では、第１の通信デバイスによって、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けるステップの前に、この方法は更に、
第１の通信デバイスによって、Ｍ個のＭＣＰＴＴグループのグループ情報及びＭＣＰＴＴユーザの識別子に従って、ＭＣＰＴＴユーザがＭ個のＭＣＰＴＴグループのうちの許可されたＭＣＰＴＴグループのユーザであると決定するステップを含む。
【００１５】
第２の態様によれば、本発明の一実施例は、ユーザをグループと関連付ける方法を提供し、この方法は、
第１の通信デバイスによって、第２の通信デバイスによって送出された第１の関連付け要求を、第３の通信デバイスを介して受信するステップであって、第１の関連付け要求が、ＭＣＰＴＴユーザの識別子及びＮ個のＭＣＰＴＴグループの識別子を含み、第１の関連付け要求が、ＭＣＰＴＴユーザをＮ個のＭＣＰＴＴグループと関連付けるように要求するために使用され、Ｎが１以上の整数であるステップと、
第１の通信デバイスによって、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定するステップであって、１≦Ｍ≦Ｎであり、Ｍが整数であるステップと、
第１の通信デバイスによって、第２の関連付け応答を第３の通信デバイスへ送出するステップであって、それにより、第３の通信デバイスが、第２の関連付け応答に従って、ＭＣＰＴＴユーザをＭ個のＭＣＰＴＴグループと関連付け、第１の関連付け応答を第２の通信デバイスへ送出し、ここで第１の関連付け応答が、ＭＣＰＴＴユーザがＭ個のＭＣＰＴＴグループと成功裏に関連付けられていることを示すために使用されるステップとを含む。
【００１６】
第２の態様の第１の可能な実施方式では、第２の関連付け応答が、ＭＣＰＴＴユーザの識別子及びＭ個のＭＣＰＴＴグループの識別子を含む。
【００１７】
第２の態様、又は第２の態様の第１の可能な実施方式に関連して、第２の態様の第２の可能な実施方式では、第２の通信デバイスが、ユーザ機器ＵＥであり、第１の通信デバイスが、グループデータベースの配置のために構成されたネットワークデバイスであり、第３の通信デバイスが、ＭＣＰＴＴユーザを管理するように構成されたＭＣＰＴＴサーバであるか、又はＮ個のＭＣＰＴＴグループを管理するように構成されたＭＣＰＴＴサーバである、或いは、
第２の通信デバイスが、ＵＥであり、第１の通信デバイスが、Ｎ個のＭＣＰＴＴグループを管理するように構成されたＭＣＰＴＴサーバであり、第３の通信デバイスが、ＭＣＰＴＴユーザを管理するように構成されたＭＣＰＴＴサーバである、或いは、
第２の通信デバイスが、ＭＣＰＴＴユーザを管理するように構成されたＭＣＰＴＴサーバであり、第１の通信デバイスが、グループデータベースの配置のために構成されたネットワークデバイスであり、第３の通信デバイスが、Ｎ個のＭＣＰＴＴグループを管理するように構成されたＭＣＰＴＴサーバであるか、又はＭＣＰＴＴユーザを管理するように構成されたＭＣＰＴＴサーバである。
【００１８】
第２の態様、又は第２の態様の第１の可能な実施方式若しくは第２の可能な実施方式に関連して、第２の態様の第３の可能な実施方式では、第１の通信デバイスによって、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定するステップの前に、この方法は更に、
第１の通信デバイスによって、ＭＣＰＴＴユーザのサブスクリプションデータをＭＣＰＴＴユーザの識別子に従って取得するステップと、ＭＣＰＴＴユーザの関連付けサブスクリプション情報をＭＣＰＴＴユーザのサブスクリプションデータに従って取得するステップとを含む、又は、
第１の通信デバイスによって、Ｎ個のＭＣＰＴＴグループのグループ情報をＮ個のＭＣＰＴＴグループの識別子に従って取得するステップと、ＭＣＰＴＴユーザの関連付けサブスクリプション情報を、Ｎ個のＭＣＰＴＴグループのグループ情報及びＭＣＰＴＴユーザの識別子に従って取得するステップとを含む。
【００１９】
第２の態様、又は第２の態様の第１から第３の可能な実施方式のいずれか１つに関連して、第２の態様の第４の可能な実施方式では、第１の通信デバイスによって、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定するステップの前に、この方法は更に、
第１の通信デバイスによって、Ｍ個のＭＣＰＴＴグループとＭＣＰＴＴユーザの識別子とに従って、ＭＣＰＴＴユーザがＭ個のＭＣＰＴＴグループのうちの許可されたＭＣＰＴＴグループのユーザであると決定するステップを含む。
【００２０】
第３の態様によれば、本発明の一実施例は、ユーザをグループと関連付ける方法を提供し、この方法は、
第２の通信デバイスによって、第１の関連付け要求を第１の通信デバイスへ送出するステップであって、第１の関連付け要求が、ＭＣＰＴＴユーザの識別子及びＮ個のＭＣＰＴＴグループの識別子を含み、第１の関連付け要求が、ＭＣＰＴＴユーザをＮ個のＭＣＰＴＴグループと関連付けるように要求するために使用され、Ｎが１以上の整数である、ステップと、
第２の通信デバイスによって、第１の通信デバイスによって送出された第１の関連付け応答を受信するステップであって、第１の関連付け応答が、ＭＣＰＴＴユーザがＮ個のＭＣＰＴＴグループのうちのＭ個のＭＣＰＴＴグループと成功裏に関連付けられていることを示すために使用され、１≦Ｍ≦Ｎであり、Ｍが整数である、ステップとを含む。
【００２１】
第３の態様の第１の可能な実施方式では、第１の通信デバイスが、グループデータベースの配置のために構成されたネットワークデバイスであり、又は、第１の通信デバイスが、第１のＭＣＰＴＴサーバであるとともに、第１のＭＣＰＴＴサーバがＭＣＰＴＴユーザのＭＣＰＴＴサーバであるか若しくはＮ個のＭＣＰＴＴグループを管理するＭＣＰＴＴサーバであり、
第２の通信デバイスが、ユーザ機器ＵＥである。
【００２２】
第３の態様の第１の可能な実施方式に関連して、第３の態様の第２の可能な実施方式では、第１の通信デバイスが、Ｎ個のＭＣＰＴＴグループを管理するように構成されたＭＣＰＴＴサーバであるか、又はグループデータベースの配置のために構成されたネットワークデバイスである場合、第２の通信デバイスによって、第１の関連付け要求を第１の通信デバイスへ送出するステップが、
第２の通信デバイスによって、第１の関連付け要求を第１の通信デバイスへ、ＭＣＰＴＴユーザのＭＣＰＴＴサーバを介して送出するステップを含み、
第２の通信デバイスによって、第１の通信デバイスによって送出された第１の関連付け応答を受信するステップが、
第２の通信デバイスによって、ＭＣＰＴＴユーザのＭＣＰＴＴサーバを介して、第１の通信デバイスによって送出された第１の関連付け応答を受信するステップを含む。
【００２３】
第３の態様の第３の可能な実施方式では、第１の通信デバイスが、Ｎ個のＭＣＰＴＴグループを管理するように構成されたＭＣＰＴＴサーバであり、第２の通信デバイスが、ＭＣＰＴＴユーザを管理するように構成されたＭＣＰＴＴサーバである。
【００２４】
第３の態様の第３の可能な実施方式に関連して、第３の態様の第４の可能な実施方式では、第２の通信デバイスによって、第１の関連付け要求を第１の通信デバイスへ送出するステップの前に、この方法は更に、
第２の通信デバイスによって、ＵＥによって送出された第３の関連付け要求を受信するステップであって、第３の関連付け要求が、ＭＣＰＴＴユーザの識別子及びＨ個のＭＣＰＴＴグループの識別子を含み、第３の関連付け要求が、ＭＣＰＴＴユーザをＨ個のＭＣＰＴＴグループと関連付けるように要求するために使用され、Ｈが１以上の整数であり、Ｈ個のＭＣＰＴＴグループが、Ｎ個のＭＣＰＴＴグループを含むステップと、
第２の通信デバイスによって、第３の関連付け要求と、Ｔ個の第３のＭＣＰＴＴサーバによって管理されるＭＣＰＴＴグループとに従って、Ｈ個のＭＣＰＴＴグループのＴ個の第３のＭＣＰＴＴサーバによって管理されるＭＣＰＴＴグループを決定するステップであって、Ｔ個の第３のＭＣＰＴＴサーバによって管理されるＭＣＰＴＴグループがＨ個のＭＣＰＴＴグループを含み、それぞれの第３のＭＣＰＴＴサーバが、Ｈ個のＭＣＰＴＴグループのうちの少なくとも１つのＭＣＰＴＴグループを管理し、第１の通信デバイスが、Ｔ個の第３のＭＣＰＴＴサーバのうちのいずれかのＭＣＰＴＴサーバであるステップと、
第２の通信デバイスによって、第１の通信デバイスによって送出された第１の関連付け応答を受信するステップの後に、この方法は更に、
第２の通信デバイスによって、第３の関連付け応答をＵＥへ第１の関連付け応答に従って送出するステップであって、第３の関連付け応答が、ＭＣＰＴＴユーザがＨ個のＭＣＰＴＴグループのうちのＬ個のＭＣＰＴＴグループと成功裏に関連付けられていることを示すために使用され、Ｍ≦Ｌ≦Ｈであり、Ｌが整数であるステップとを含む。
【００２５】
第４の態様によれば、本発明の一実施例は、第１の通信デバイスとして使用される通信デバイスを提供し、この通信デバイスは、
第２の通信デバイスによって送出された第１の関連付け要求を受信するように構成された受信ユニットであって、第１の関連付け要求が、ＭＣＰＴＴユーザの識別子及びＮ個のＭＣＰＴＴグループの識別子を含み、第１の関連付け要求が、ＭＣＰＴＴユーザをＮ個のＭＣＰＴＴグループと関連付けるように要求するために使用され、Ｎが１以上の整数である、受信ユニットと、
ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けるように構成された処理ユニットであって、ＭＣＰＴＴユーザの関連付けサブスクリプション情報が、ＭＣＰＴＴユーザが関連付けられることができるＭＣＰＴＴグループを示すために使用される、処理ユニットと、
第１の関連付け応答を第２の通信デバイスへ送出するように構成された送出ユニットであって、第１の関連付け応答が、ＭＣＰＴＴユーザがＮ個のＭＣＰＴＴグループのうちのＭ個のＭＣＰＴＴグループと成功裏に関連付けられていることを示すために使用され、１≦Ｍ≦Ｎであり、Ｍが整数である、送出ユニットとを含む。
【００２６】
第４の態様の第１の可能な実施方式では、第１の通信デバイスが、グループデータベースの配置のために構成されたネットワークデバイスであり、又は、第１の通信デバイスが、第１のＭＣＰＴＴサーバであるとともに、第１のＭＣＰＴＴサーバがＭＣＰＴＴユーザを管理するように構成されたＭＣＰＴＴサーバであるか若しくはＮ個のＭＣＰＴＴグループを管理するように構成されたＭＣＰＴＴサーバであり、
第２の通信デバイスが、ＵＥである。
【００２７】
第４の態様の第２の可能な実施方式では、第１の通信デバイスが、Ｎ個のＭＣＰＴＴグループを管理するように構成されたＭＣＰＴＴサーバであり、第２の通信デバイスが、ＭＣＰＴＴユーザを管理するように構成されたＭＣＰＴＴサーバである。
【００２８】
第４の態様の第１の可能な実施方式に関連して、第４の態様の第３の可能な実施方式では、第１の通信デバイスが、Ｎ個のＭＣＰＴＴグループを管理するように構成されたＭＣＰＴＴサーバである場合、処理ユニットが具体的に、
ＭＣＰＴＴユーザの関連付けサブスクリプション情報に従って、ＭＣＰＴＴユーザをＮ個のＭＣＰＴＴグループのうちのＲ個のＭＣＰＴＴグループと関連付けることを決定するように構成され、ここで１≦Ｒ≦Ｎであり、Ｒが整数である、かつ、
第２の関連付け要求を、ＭＣＰＴＴユーザを管理するように構成されたＭＣＰＴＴサーバへ送出するように構成され、ここで第２の関連付け要求が、ＭＣＰＴＴユーザの識別子及びＲ個のＭＣＰＴＴグループの識別子を含み、それにより、ＭＣＰＴＴユーザを管理するように構成されたＭＣＰＴＴサーバが、第２の関連付け要求及びＭＣＰＴＴユーザの関連付けサブスクリプション情報に従って、ＭＣＰＴＴユーザをＲ個のＭＣＰＴＴグループのうちのＭ個のＭＣＰＴＴグループと関連付けることを決定し、ここで１≦Ｍ≦Ｒである、かつ、
ＭＣＰＴＴユーザを管理するように構成されたＭＣＰＴＴサーバによって送出された第２の関連付け応答を受信するように構成され、ここで第２の関連付け応答が、ＭＣＰＴＴユーザをＲ個のＭＣＰＴＴグループのうちのＭ個のＭＣＰＴＴグループと関連付けることを指示するために使用される、かつ、
第２の関連付け応答に従って、ＭＣＰＴＴユーザをＭ個のＭＣＰＴＴグループと関連付けるように構成される。
【００２９】
第４の態様の第１の可能な実施方式又は第４の態様の第２の可能な実施方式に関連して、第４の態様の第４の可能な実施方式では、処理ユニットが具体的に、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定するように、ＭＣＰＴＴユーザをＭ個のＭＣＰＴＴグループと関連付けるように構成される。
【００３０】
第４の態様のいずれか１つ、又は第４の態様の第１から第４の可能な実施方式のいずれか１つに関連して、第４の態様の第５の可能な実施方式では、処理ユニットがＭＣＰＴＴユーザをＮ個のＭＣＰＴＴグループのうちのＭ個のＭＣＰＴＴグループと関連付ける場合、処理ユニットが具体的に、第１の関連付け情報を生成するように構成され、第１の関連付け情報が、ＭＣＰＴＴユーザとＭ個のＭＣＰＴＴグループとの間の関連付け関係を示すために使用される。
【００３１】
第４の態様の第５の可能な実施方式に関連して、第４の態様の第６の可能な実施方式では、処理ユニットが第１の関連付け情報を生成した後に、処理ユニットが更に、第１の関連付け情報を保存するように構成される。
【００３２】
第４の態様の第５の可能な実施方式又は第４の態様の第６の可能な実施方式に関連して、第４の態様の第７の可能な実施方式では、第１の通信デバイスが、ＭＣＰＴＴユーザを管理するように構成されたＭＣＰＴＴサーバであるか、又はＮ個のＭＣＰＴＴグループを管理するように構成されたＭＣＰＴＴサーバである場合、送出ユニットが更に、処理ユニットが第１の関連付け情報を生成した後に、第１の関連付け情報をグループデータベースの配置のために構成されたネットワークデバイスへ送出するように構成され、それにより、グループデータベースの配置のために構成されたネットワークデバイスが、第１の関連付け情報を保存する、或いは、
第１の通信デバイスが、ＭＣＰＴＴユーザを管理するように構成されたＭＣＰＴＴサーバであるか、又はグループデータベースの配置のために構成されたネットワークデバイスである場合、送出ユニットが更に、処理ユニットが第１の関連付け情報を生成した後に、第２の関連付け情報をＫ個の第２のＭＣＰＴＴサーバへ第１の関連付け情報に従ってそれぞれ送出するように構成され、それにより、それぞれの第２のＭＣＰＴＴサーバが受信した第２の関連付け情報を保存し、ここで１≦Ｋ≦Ｍであり、Ｋが整数であり、Ｋ個の第２のＭＣＰＴＴサーバによって管理されるＭＣＰＴＴグループがＭ個のＭＣＰＴＴグループを含み、それぞれの第２のＭＣＰＴＴサーバが、Ｍ個のＭＣＰＴＴグループのうちの少なくとも１つのＭＣＰＴＴグループを管理し、第２の関連付け情報の各要素が、ＭＣＰＴＴユーザと、第２の関連付け情報を受信する第２のＭＣＰＴＴサーバによって管理される少なくとも１つのＭＣＰＴＴグループとの間の関連付け関係を示すために使用される、或いは、
第１の通信デバイスが、Ｎ個のＭＣＰＴＴグループを管理するように構成されたＭＣＰＴＴサーバであるか、又はグループデータベースの配置のために構成されたネットワークデバイスである場合、送出ユニットが更に、処理ユニットが第１の関連付け情報を生成した後に、第１の関連付け情報を、ＭＣＰＴＴユーザを管理するように構成されたＭＣＰＴＴサーバへ送出するように構成され、それにより、ＭＣＰＴＴユーザを管理するように構成されたＭＣＰＴＴサーバが、第１の関連付け情報を保存する。
【００３３】
第４の態様、又は第４の態様の第１から第７の可能な実施方式に関連して、第４の態様の第８の可能な実施方式では、処理ユニットが更に、処理ユニットが、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付ける前に、
ＭＣＰＴＴユーザのサブスクリプションデータをＭＣＰＴＴユーザの識別子に従って取得するように、かつ、ＭＣＰＴＴユーザの関連付けサブスクリプション情報をＭＣＰＴＴユーザのサブスクリプションデータに従って取得するように構成される、又は、
Ｎ個のＭＣＰＴＴグループのグループ情報をＮ個のＭＣＰＴＴグループの識別子に従って取得するように、かつ、ＭＣＰＴＴユーザの関連付けサブスクリプション情報をＮ個のＭＣＰＴＴグループのグループ情報及びＭＣＰＴＴユーザの識別子に従って取得するように構成される。
【００３４】
第４の態様、又は第４の態様の第１から第８の可能な実施方式のいずれか１つに関連して、第４の態様の第９の可能な実施方式では、処理ユニットが更に、処理ユニットが、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付ける前に、Ｍ個のＭＣＰＴＴグループのグループ情報及びＭＣＰＴＴユーザの識別子に従って、ＭＣＰＴＴユーザがＭ個のＭＣＰＴＴグループのうちの許可されたＭＣＰＴＴグループのユーザであると決定するように構成される。
【００３５】
第５の態様によれば、本発明の一実施例は、第１の通信デバイスとして使用される通信デバイスを提供し、この通信デバイスは、
第２の通信デバイスによって送出された第１の関連付け要求を、第３の通信デバイスを介して受信するように構成された受信ユニットであって、第１の関連付け要求が、ＭＣＰＴＴユーザの識別子及びＮ個のＭＣＰＴＴグループの識別子を含み、第１の関連付け要求が、ＭＣＰＴＴユーザをＮ個のＭＣＰＴＴグループと関連付けるように要求するために使用され、Ｎが１以上の整数である、受信ユニットと、
ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定するように構成された処理ユニットであって、１≦Ｍ≦Ｎであり、Ｍが整数である処理ユニットと、
第２の関連付け応答を第３の通信デバイスへ送出するように構成された送出ユニットであって、それにより、第３の通信デバイスが、第２の関連付け応答に従って、ＭＣＰＴＴユーザをＭ個のＭＣＰＴＴグループと関連付け、第１の関連付け応答を第２の通信デバイスへ送出し、ここで第１の関連付け応答が、ＭＣＰＴＴユーザがＭ個のＭＣＰＴＴグループと成功裏に関連付けられていることを示すために使用される、送出ユニットとを含む。
【００３６】
第５の態様の第１の可能な実施方式では、第２の関連付け応答が、ＭＣＰＴＴユーザの識別子及びＭ個のＭＣＰＴＴグループの識別子を含む。
【００３７】
第５の態様、又は第５の態様の第１の可能な実施方式に関連して、第５の態様の第２の可能な実施方式では、第２の通信デバイスが、ＵＥであり、第１の通信デバイスが、グループデータベースの配置のために構成されたネットワークデバイスであり、第３の通信デバイスが、ＭＣＰＴＴユーザを管理するように構成されたＭＣＰＴＴサーバであるか、又はＮ個のＭＣＰＴＴグループを管理するように構成されたＭＣＰＴＴサーバである、或いは、
第２の通信デバイスが、ＵＥであり、第１の通信デバイスが、Ｎ個のＭＣＰＴＴグループを管理するように構成されたＭＣＰＴＴサーバであり、第３の通信デバイスが、ＭＣＰＴＴユーザを管理するように構成されたＭＣＰＴＴサーバである、或いは、
第２の通信デバイスが、ＭＣＰＴＴユーザを管理するように構成されたＭＣＰＴＴサーバであり、第１の通信デバイスが、グループデータベースの配置のために構成されたネットワークデバイスであり、第３の通信デバイスが、Ｎ個のＭＣＰＴＴグループを管理するように構成されたＭＣＰＴＴサーバであるか、又はＭＣＰＴＴユーザを管理するように構成されたＭＣＰＴＴサーバである。
【００３８】
第５の態様、又は第５の態様の第１の可能な実施方式若しくは第２の可能な実施方式に関連して、第５の態様の第３の可能な実施方式では、処理ユニットが更に、処理ユニットが、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定する前に、
ＭＣＰＴＴユーザのサブスクリプションデータをＭＣＰＴＴユーザの識別子に従って取得するように、かつ、ＭＣＰＴＴユーザの関連付けサブスクリプション情報をＭＣＰＴＴユーザのサブスクリプションデータに従って取得するように構成される、又は、
Ｎ個のＭＣＰＴＴグループのグループ情報をＮ個のＭＣＰＴＴグループの識別子に従って取得するように、かつ、ＭＣＰＴＴユーザの関連付けサブスクリプション情報をＮ個のＭＣＰＴＴグループのグループ情報及びＭＣＰＴＴユーザの識別子に従って取得するように構成される。
【００３９】
第５の態様、又は第５の態様の第１から第３の可能な実施方式のいずれか１つに関連して、第５の態様の第４の可能な実施方式では、処理ユニットが更に、処理ユニットが、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定する前に、Ｍ個のＭＣＰＴＴグループとＭＣＰＴＴユーザの識別子とに従って、ＭＣＰＴＴユーザがＭ個のＭＣＰＴＴグループのうちの許可されたＭＣＰＴＴグループのユーザであると決定するように構成される。
【００４０】
第６の態様によれば、本発明の一実施例は、第２の通信デバイスとして使用される通信デバイスを提供し、この通信デバイスは、
第１の関連付け要求を第１の通信デバイスへ送出するように構成された送出ユニットであって、第１の関連付け要求が、ＭＣＰＴＴユーザの識別子及びＮ個のＭＣＰＴＴグループの識別子を含み、第１の関連付け要求が、ＭＣＰＴＴユーザをＮ個のＭＣＰＴＴグループと関連付けるように要求するために使用され、Ｎが１以上の整数である、送出ユニットと、
第１の通信デバイスによって送出された第１の関連付け応答を受信するように構成された受信ユニットであって、第１の関連付け応答が、ＭＣＰＴＴユーザがＮ個のＭＣＰＴＴグループのうちのＭ個のＭＣＰＴＴグループと成功裏に関連付けられていることを示すために使用され、１≦Ｍ≦Ｎであり、Ｍが整数である、受信ユニットとを含む。
【００４１】
第６の態様の第１の可能な実施方式では、第１の通信デバイスが、グループデータベースの配置のために構成されたネットワークデバイスであり、又は、第１の通信デバイスが、第１のＭＣＰＴＴサーバであるとともに、第１のＭＣＰＴＴサーバがＭＣＰＴＴユーザのＭＣＰＴＴサーバであるか若しくはＮ個のＭＣＰＴＴグループを管理するＭＣＰＴＴサーバであり、
第２の通信デバイスが、ＵＥである。
【００４２】
第６の態様の第１の可能な実施方式に関連して、第６の態様の第２の可能な実施方式では、第１の通信デバイスが、Ｎ個のＭＣＰＴＴグループを管理するように構成されたＭＣＰＴＴサーバであるか、又はグループデータベースの配置のために構成されたネットワークデバイスである場合、送出ユニットが具体的に、第１の関連付け要求を第１の通信デバイスへ、ＭＣＰＴＴユーザのＭＣＰＴＴサーバを介して送出するように構成され、
受信ユニットが具体的に、ＭＣＰＴＴユーザのＭＣＰＴＴサーバを介して、第１の通信デバイスによって送出された第１の関連付け応答を受信するように構成される。
【００４３】
第６の態様の第３の可能な実施方式では、第１の通信デバイスが、Ｎ個のＭＣＰＴＴグループを管理するように構成されたＭＣＰＴＴサーバであり、第２の通信デバイスが、ＭＣＰＴＴユーザを管理するように構成されたＭＣＰＴＴサーバである。
【００４４】
第６の態様の第３の可能な実施方式に関連して、第６の態様の第４の可能な実施方式では、通信デバイスが更に処理ユニットを含み、
受信ユニットが更に、送出ユニットが第１の関連付け要求を第１の通信デバイスへ送出する前に、ＵＥによって送出された第３の関連付け要求を受信するように構成され、第３の関連付け要求が、ＭＣＰＴＴユーザの識別子及びＨ個のＭＣＰＴＴグループの識別子を含み、第３の関連付け要求が、ＭＣＰＴＴユーザをＨ個のＭＣＰＴＴグループと関連付けるように要求するために使用され、Ｈが１以上の整数であり、Ｈ個のＭＣＰＴＴグループが、Ｎ個のＭＣＰＴＴグループを含み、
処理ユニットが、第３の関連付け要求と、Ｔ個の第３のＭＣＰＴＴサーバによって管理されるＭＣＰＴＴグループとに従って、Ｈ個のＭＣＰＴＴグループのＴ個の第３のＭＣＰＴＴサーバによって管理されるＭＣＰＴＴグループを決定するように構成され、Ｔ個の第３のＭＣＰＴＴサーバによって管理されるＭＣＰＴＴグループがＨ個のＭＣＰＴＴグループを含み、それぞれの第３のＭＣＰＴＴサーバが、Ｈ個のＭＣＰＴＴグループのうちの少なくとも１つのＭＣＰＴＴグループを管理し、第１の通信デバイスが、Ｔ個の第３のＭＣＰＴＴサーバのうちのいずれかのＭＣＰＴＴサーバであり、
送出ユニットが更に、受信ユニットが第１の通信デバイスによって送出された第１の関連付け応答を受信した後に、第３の関連付け応答をＵＥへ第１の関連付け応答に従って送出するように構成され、第３の関連付け応答が、ＭＣＰＴＴユーザがＨ個のＭＣＰＴＴグループのうちのＬ個のＭＣＰＴＴグループと成功裏に関連付けられていることを示すために使用され、Ｍ≦Ｌ≦Ｈであり、Ｌが整数である。
【００４５】
本発明の実施例において提供される、ユーザをグループと関連付ける方法及びデバイスによれば、第１の通信デバイスが、第２の通信デバイスによって送出された第１の関連付け要求を受信し、第１の関連付け要求は、ＭＣＰＴＴユーザの識別子及びＮ個のＭＣＰＴＴグループの識別子を含む。また第１の通信デバイスは、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付け、次に、第１の関連付け応答を第２の通信デバイスへ送出し、第１の関連付け応答は、ＭＣＰＴＴユーザがＭ個のＭＣＰＴＴグループと成功裏に関連付けられていることを示すために使用される。このようにしてＭＣＰＴＴユーザは、ＭＣＰＴＴユーザが関心を持つＭ個のＭＣＰＴＴグループと関連付けられる。
【００４６】
本発明の実施例における、又は従来技術における技術的解決法をより明確に説明するために、下記では、実施例又は従来技術を説明するために必要な添付の図面について簡潔に説明する。明らかに、下記の説明の中で添付の図面は、本発明のいくつかの実施例を示し、当業者であればなお、これら添付の図面から別の図面を創造的な努力なしで導き出すことができよう。
【図面の簡単な説明】
【００４７】
【図１】本発明による、ユーザをグループと関連付ける方法の実施例１の流れ図である。
【図２】本発明による、ユーザをグループと関連付ける方法の実施例２の流れ図である。
【図３】本発明による、ユーザをグループと関連付ける方法の実施例３の流れ図である。
【図４】本発明による、ユーザをグループと関連付ける方法の実施例４の流れ図である。
【図５】本発明による、ユーザをグループと関連付ける方法の実施例５の流れ図である。
【図６】本発明による、ユーザをグループと関連付ける方法の実施例６の流れ図である。
【図７】本発明による、ユーザをグループと関連付ける方法の実施例７の流れ図である。
【図８】本発明による、ユーザをグループと関連付ける方法の実施例８の流れ図である。
【図９】本発明による、ユーザをグループと関連付ける方法の実施例９の流れ図である。
【図１０】本発明による、ユーザをグループと関連付ける方法の実施例１０の流れ図である。
【図１１】本発明による、ユーザをグループと関連付ける方法の実施例１１の流れ図である。
【図１２】本発明による、ユーザをグループと関連付ける方法の実施例１２の流れ図である。
【図１３】本発明による通信デバイスの実施例１の概略構成図である。
【図１４】本発明による通信デバイスの実施例２の概略構成図である。
【図１５】本発明による通信デバイスの実施例３の概略構成図である。
【図１６】本発明による通信デバイスの実施例４の概略構成図である。
【図１７】本発明による通信デバイスの実施例５の概略構成図である。
【図１８】本発明による通信デバイスの実施例６の概略構成図である。
【発明を実施するための形態】
【００４８】
本発明の実施例の目的、技術的解決法、及び利点を明確にするために、下記では本発明の実施例における技術的解決法を、本発明の実施例の添付図面を参照して明確かつ十分に説明する。明らかに、説明される実施例は本発明の実施例の一部であり、全部ではない。本発明の実施例に基づいて、独創的な努力なしに当業者に得られる他のすべての実施例は、本発明の保護範囲に含まれるものとする。
【００４９】
図１は、本発明による、ユーザをグループと関連付ける方法の実施例１の流れ図である。図１に示されるように、この実施例の方法は下記を含み得る。すなわち、
Ｓ１０１：第１の通信デバイスが、第２の通信デバイスによって送出された第１の関連付け要求を受信し、第１の関連付け要求は、ＭＣＰＴＴユーザの識別子、及びＮ個のＭＣＰＴＴグループの識別子を含む。
【００５０】
この実施例では、第１の関連付け要求は、ＭＣＰＴＴユーザをＮ個のＭＣＰＴＴグループと関連付けるように要求するために使用され、Ｎは１以上の整数である。
【００５１】
Ｓ１０２：第１の通信デバイスは、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付け、ＭＣＰＴＴユーザの関連付けサブスクリプション情報は、ＭＣＰＴＴユーザが関連付けられることができるＭＣＰＴＴグループを示すために使用される。
【００５２】
Ｓ１０３：第１の通信デバイスは、第１の関連付け応答を第２の通信デバイスへ送出する。
【００５３】
この実施例では、第１の通信デバイスは、ＭＣＰＴＴユーザの関連付けサブスクリプション情報をＭＣＰＴＴユーザの識別子に従って取得されることができ、ＭＣＰＴＴユーザの関連付けサブスクリプション情報は、ＭＣＰＴＴユーザが関連付けられることができるＭＣＰＴＴグループを示すために使用される。
【００５４】
この実施例の任意選択の実施方式では、第１の通信デバイスは、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定する。この実施例におけるＭＣＰＴＴユーザの関連付けサブスクリプション情報は、どのＭＣＰＴＴグループが、ＭＣＰＴＴユーザが関連付けられることができるＭＣＰＴＴグループであるかを示し得る。たとえば、ＭＣＰＴＴユーザの関連付けサブスクリプション情報は、ＭＣＰＴＴユーザが関連付けられることができるＭＣＰＴＴグループの識別子を含む。かつ／又は、ＭＣＰＴＴユーザの関連付けサブスクリプション情報は、どのＭＣＰＴＴグループが、ＭＣＰＴＴユーザが関連付けられることができないＭＣＰＴＴグループであるかを示し得る。すなわち、これらのＭＣＰＴＴグループ以外のＭＣＰＴＴグループが、ＭＣＰＴＴユーザが関連付けられることができるＭＣＰＴＴグループであると示し得る。たとえば、ＭＣＰＴＴユーザの関連付けサブスクリプション情報は、ＭＣＰＴＴユーザが関連付けられることができないＭＣＰＴＴグループの識別子を含む。ＭＣＰＴＴユーザは、ＭＣＰＴＴユーザの関連付けサブスクリプション情報が、Ｎ個のＭＣＰＴＴグループのうちのＭＣＰＴＴユーザが関連付けられることができるＭＣＰＴＴグループを示すときだけ、これらのＭＣＰＴＴグループと成功裏に関連付けられることができる。したがって、ＭＣＰＴＴユーザは、Ｎ個のＭＣＰＴＴグループと関連付けられることを要求するが、ＭＣＰＴＴユーザは、関連付けサブスクリプション情報によって示される、かつＭＣＰＴＴユーザが関連付けられることができるＭＣＰＴＴグループとしか関連付けられることができない。関連付けサブスクリプション情報が、関連付けが禁止されていることを示す場合、又は関連付けサブスクリプション情報が、ＭＣＰＴＴユーザが第１の関連付け要求中のＭＣＰＴＴグループのいくつかと関係付けられていることを示す関連付けサブスクリプション情報を含まない場合、ＭＣＰＴＴユーザは、これらのＭＣＰＴＴグループと関連付けられることができない。理解できるように、ＭＣＰＴＴユーザの関連付けサブスクリプション情報は、ＭＣＰＴＴユーザがＮ個のＭＣＰＴＴグループのうちのＭ個のＭＣＰＴＴグループと関連付けられることができることを示し、第１の通信デバイスは、ＭＣＰＴＴＭユーザをＭ個のＭＣＰＴＴグループと関連付けることを決定し、次に、ＭＣＰＴＴユーザをＭ個のＭＣＰＴＴグループと関連付け、次いで第１の関連付け応答を第２の通信デバイスへ送出することができる。第１の関連付け応答は、ＭＣＰＴＴユーザがＭ個のＭＣＰＴＴグループと成功裏に関連付けられていることを示すために使用され、Ｍは１以上でＮ以下の整数である。それに応じて、第２の通信デバイスが第１の関連付け応答を受信した後に、第２の通信デバイスは、ＭＣＰＴＴユーザがＭ個のＭＣＰＴＴグループと関連付けられたことを知り得る。任意選択で、第１の関連付け応答は、ＭＣＰＴＴユーザの識別子、及びＭ個のＭＣＰＴＴグループの識別子を含む。
【００５５】
任意選択で、第１の通信デバイスによってＭＣＰＴＴユーザをＭ個のＭＣＰＴＴグループと関連付ける実行可能な実施方式は、第１の通信デバイスによって第１の関連付け情報を生成することであり、第１の関連付け情報は、ＭＣＰＴＴユーザとＭ個のＭＣＰＴＴグループとの間の関連付け関係を示すために使用される。
【００５６】
ＭＣＰＴＴユーザの関連付けサブスクリプション情報が、Ｎ個のＭＣＰＴＴグループのうちＭＣＰＴＴユーザが関連付けられることができるＭＣＰＴＴグループはゼロであることを示す場合、すなわち、ＭＣＰＴＴユーザはＮ個のＭＣＰＴＴグループのうちのどのＭＣＰＴＴグループとも関連付けられることができないことを示す場合、第１の通信デバイスは第２の通信デバイスへ、ＭＣＰＴＴユーザがＮ個のＭＣＰＴＴグループと関連付けられることができなかったことを示すために使用される関連付け応答を送出することを理解されたい。
【００５７】
ＭＣＰＴＴユーザとＭＣＰＴＴグループとの間の関連付けは、ＭＣＰＴＴユーザがＭＣＰＴＴグループに対する関心を表明することを示し、また、ＭＣＰＴＴグループと関連付けられていない別のユーザと比較して、ＭＣＰＴＴユーザが、ＭＣＰＴＴグループによって送出されたプッシュメッセージを受信でき、かつ関連付けられたグループの呼に参加することを遅らせ得ることを示す、ということに留意されたい。
【００５８】
任意選択で、第２の通信デバイスはＵＥであることができ、第１の通信デバイスは第１のＭＣＰＴＴサーバであることができ、第１のＭＣＰＴＴサーバは、ＭＣＰＴＴユーザを管理するように構成されたＭＣＰＴＴサーバであるか、又はＮ個のＭＣＰＴＴグループを管理するように構成されたＭＣＰＴＴサーバであり、或いは、第１の通信デバイスは、グループデータベースの配置のために構成されたネットワークデバイスである。
【００５９】
任意選択で、第２の通信デバイスは、ＭＣＰＴＴユーザを管理するように構成されたＭＣＰＴＴサーバであり、第１の通信デバイスは、Ｎ個のＭＣＰＴＴグループを管理するように構成されたＭＣＰＴＴサーバである。
【００６０】
この実施例では、第１の通信デバイスが、第２の通信デバイスによって送出された第１の関連付け要求を受信し、第１の関連付け要求は、ＭＣＰＴＴユーザの識別子、及びＮ個のＭＣＰＴＴグループの識別子を含み、第１の通信デバイスは、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付け、次に、第１の関連付け応答を第２の通信デバイスへ送出する。第１の関連付け応答は、ＭＣＰＴＴユーザがＭ個のＭＣＰＴＴグループと成功裏に関連付けられていることを示すために使用される。このようにしてＭＣＰＴＴユーザは、ＭＣＰＴＴユーザが関心を持つＭ個のＭＣＰＴＴグループと関連付けられる。
【００６１】
図２は、本発明による、ユーザをグループと関連付ける方法の実施例２の流れ図である。図２に示されるように、この実施例の方法は下記を含み得る。すなわち、
Ｓ２０１：第１の通信デバイスが、第３の通信デバイスを介して、第２の通信デバイスによって送出された第１の関連付け要求を受信し、第１の関連付け要求は、ＭＣＰＴＴユーザの識別子、及びＮ個のＭＣＰＴＴグループの識別子を含む。
【００６２】
この実施例では、第２の通信デバイスは、第１の関連付け要求を第３の通信デバイスへ送出し、第３の通信デバイスは、受信した第１の関連付け要求を第１の通信デバイスへ送出する。第１の関連付け要求は、ＭＣＰＴＴユーザをＮ個のＭＣＰＴＴグループと関連付けるように要求するために使用され、Ｎは１以上の整数である。
【００６３】
Ｓ２０２：第１の通信デバイスは、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定する。
【００６４】
この実施例では、第１の通信デバイスは、ＭＣＰＴＴユーザの関連付けサブスクリプション情報をＭＣＰＴＴユーザの識別子に従って取得されることができ、ＭＣＰＴＴユーザの関連付けサブスクリプション情報は、ＭＣＰＴＴユーザが関連付けられることができるＭＣＰＴＴグループを示すために使用される。第１の通信デバイスは、ＭＣＰＴＴユーザの関連付けサブスクリプション情報に従って、ＭＣＰＴＴユーザがＮ個のＭＣＰＴＴグループのうちのＭ個のＭＣＰＴＴグループと関連付けられることができることを知ることができ、したがって、ＭＣＰＴＴユーザをＮ個のＭＣＰＴＴグループのうちのＭ個のＭＣＰＴＴグループと関連付けることを決定することができ、ここで１≦Ｍ≦Ｎであり、Ｍは整数である。
【００６５】
Ｓ２０３：第１の通信デバイスは、第２の関連付け応答を第３の通信デバイスへ送出し、それにより、第３の通信デバイスは、第２の関連付け応答に従って、ＭＣＰＴＴユーザをＭ個のＭＣＰＴＴグループと関連付け、第１の関連付け応答を第２の通信デバイスへ送出する。
【００６６】
この実施例では、第１の通信デバイスがＭＣＰＴＴユーザをＮ個のＭＣＰＴＴグループのうちのＭ個のＭＣＰＴＴグループと関連付けることを決定した後に、第１の通信デバイスは、第２の関連付け応答を第３の通信デバイスへ送出する。第２の関連付け応答を受信した後に、第３の通信デバイスは、第２の関連付け応答に従って、ＭＣＰＴＴユーザをＭ個のＭＣＰＴＴグループと関連付け、第１の関連付け応答を第２の通信デバイスへ送出する。第１の関連付け応答は、ＭＣＰＴＴユーザがＭ個のＭＣＰＴＴグループと成功裏に関連付けられていることを示すために使用される。それに応じて、第１の関連付け応答を受信した後に、第２の通信デバイスは、ＭＣＰＴＴユーザがＭＣＰＴＴグループと関連付けられたことを知り得る。任意選択で、第１の関連付け応答は第２の関連付け応答と同じである。任意選択で、第２の関連付け応答は、ＭＣＰＴＴユーザの識別子、及びＭ個のＭＣＰＴＴグループの識別子を含む。
【００６７】
任意選択で、第３の通信デバイスによってＭＣＰＴＴユーザをＭ個のＭＣＰＴＴグループと関連付ける実行可能な実施方式は、第３の通信デバイスによって、第１の関連付け情報を第２の関連付け応答に従って生成することである。第１の関連付け情報は、ＭＣＰＴＴユーザとＭ個のＭＣＰＴＴグループとの間の関連付け関係を示すために使用される。
【００６８】
任意選択で、第２の通信デバイスはＵＥであり、第１の通信デバイスが、グループデータベースの配置のために構成されたネットワークデバイスである場合、第３の通信デバイスは、ＭＣＰＴＴユーザを管理するように構成されたＭＣＰＴＴサーバであるか、又はＮ個のＭＣＰＴＴグループを管理するように構成されたＭＣＰＴＴサーバであり、或いは、第１の通信デバイスが、Ｎ個のＭＣＰＴＴグループを管理するように構成されたＭＣＰＴＴサーバである場合、第３の通信デバイスは、ＭＣＰＴＴユーザのＭＣＰＴＴサーバである。
【００６９】
任意選択で、第２の通信デバイスは、ＭＣＰＴＴユーザを管理するように構成されたＭＣＰＴＴサーバであり、第１の通信デバイスは、グループデータベースの配置のために構成されたネットワークデバイスであり、第３の通信デバイスは、Ｎ個のＭＣＰＴＴグループを管理するように構成されたＭＣＰＴＴサーバであるか、又はＭＣＰＴＴユーザを管理するように構成されたＭＣＰＴＴサーバである。
【００７０】
具体的に、図２に示された実施例に基づいて、第２の通信デバイス及び第３通信デバイスが同じデバイスである、すなわちＭＣＰＴＴユーザを管理するように構成されたＭＣＰＴＴサーバである場合、具体的に、下記の実施方式が使用される。すなわち、第１の通信デバイスによって、第２の通信デバイスによって送出された第１の関連付け要求を受信すること、第１の通信デバイスによって、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定すること、及び、第１の通信デバイスによって、第２の関連付け応答を第２の通信デバイスへ送出することであり、それにより、第２の通信デバイスは、第２の関連付け応答に従って、ＭＣＰＴＴユーザをＭ個のＭＣＰＴＴグループと関連付け、第１の関連付け応答を生成する。
【００７１】
第１の関連付け要求及び第１の関連付け応答などの関連用語については、すべて図２に示された実施例の説明を参照することができ、詳細は再度説明されない。
【００７２】
この実施例において提供される、ユーザをグループと関連付けるための方法によれば、第１の通信デバイスが、第３の通信デバイスを介して、第２の通信デバイスによって送出された第１の関連付け要求を受信し、ここで、第１の関連付け要求は、ＭＣＰＴＴユーザの識別子、及びＮ個のＭＣＰＴＴグループの識別子を含み、第１の通信デバイスは、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定する。次に、第１の通信デバイスは、第２の関連付け応答を第３の通信デバイスへ送出し、それにより、第３の通信デバイスは、第２の関連付け応答に従って、ＭＣＰＴＴユーザをＭ個のＭＣＰＴＴグループと関連付け、第１の関連付け応答を第２の通信デバイスへ送出する。第１の関連付け応答は、ＭＣＰＴＴユーザがＭ個のＭＣＰＴＴグループと成功裏に関連付けられていることを示すために使用される。このようにしてＭＣＰＴＴユーザは、ＭＣＰＴＴユーザが関心を持つＭ個のＭＣＰＴＴグループと関連付けられる。
【００７３】
図３は、本発明による、ユーザをグループと関連付ける方法の実施例３の流れ図である。図３に示されるように、この実施例の方法は下記を含み得る。すなわち、
Ｓ３０１：第２の通信デバイスが、第１の関連付け要求を第１の通信デバイスへ送出し、第１の関連付け要求は、ＭＣＰＴＴユーザの識別子、及びＮ個のＭＣＰＴＴグループの識別子を含む。
【００７４】
Ｓ３０２：第２の通信デバイスは、第１の通信デバイスによって送出された第１の関連付け応答を受信し、第１の関連付け応答は、ＭＣＰＴＴユーザがＭ個のＭＣＰＴＴグループと成功裏に関連付けられていることを示すために使用される。
【００７５】
この実施例では、第２の通信デバイスは第１の関連付け要求を、第１の通信デバイスへ送出することができる。第１の関連付け要求は、ＭＣＰＴＴユーザの識別子、及びＮ個のＭＣＰＴＴグループの識別子を含み、第１の関連付け要求は、ＭＣＰＴＴユーザをＮ個のＭＣＰＴＴグループと関連付けるように要求するために使用され、Ｎは１以上の整数である。次に、第２の通信デバイスは、第１の通信デバイスによって送出された第１の関連付け応答を受信し、第１の関連付け応答は、ＭＣＰＴＴユーザがＮ個のＭＣＰＴＴグループのうちのＭ個のＭＣＰＴＴグループと成功裏に関連付けられていることを示すために使用され、１≦Ｍ≦Ｎであり、Ｍは整数である。第２の通信デバイスは、第１の関連付け応答により、ＭＣＰＴＴユーザがＭ個のＭＣＰＴＴグループと関連付けられたことを知る。
【００７６】
任意選択で、第１の通信デバイスは、グループデータベースの配置のために構成されたネットワークデバイスであり、又は、第１の通信デバイスは、第１のＭＣＰＴＴサーバであるとともに、第１のＭＣＰＴＴサーバがＭＣＰＴＴユーザのＭＣＰＴＴサーバであるか若しくはＮ個のＭＣＰＴＴグループを管理するＭＣＰＴＴサーバであり、第２の通信デバイスはＵＥである。
【００７７】
任意選択で、第１の通信デバイスは、Ｎ個のＭＣＰＴＴグループを管理するように構成されたＭＣＰＴＴサーバであり、第２の通信デバイスは、ＭＣＰＴＴユーザを管理するように構成されたＭＣＰＴＴサーバである。
【００７８】
この実施例では、第２の通信デバイスが、第１の関連付け要求を第１の通信デバイスへ送出する。第１の関連付け要求は、ＭＣＰＴＴユーザの識別子、及びＮ個のＭＣＰＴＴグループの識別子を含む。次に、第２の通信デバイスは、第１の通信デバイスによって送出された第１の関連付け応答を受信し、第１の関連付け応答は、ＭＣＰＴＴユーザがＭ個のＭＣＰＴＴグループと成功裏に関連付けられていることを示すために使用される。このようにしてＭＣＰＴＴユーザは、ＭＣＰＴＴユーザが関心を持つＭ個のＭＣＰＴＴグループと関連付けられる。
【００７９】
図４は、本発明による、ユーザをグループと関連付ける方法の実施例４の流れ図である。図４に示されるように、この実施例は、本発明の方法の実施例１及び実施例３に基づいている。第１の通信デバイスが第１のＭＣＰＴＴサーバであり、第１のＭＣＰＴＴサーバは、ＭＣＰＴＴユーザを管理するように構成されたＭＣＰＴＴサーバであり、第２の通信デバイスが、ＵＥである。この実施例では、ＭＣＰＴＴユーザを管理するように構成されたＭＣＰＴＴサーバは、受信した第１の関連付け要求に対する権限付与検査を行い、すなわち、ＭＣＰＴＴユーザの関連付けサブスクリプション情報に従って、関連付け要求中のどのＭＣＰＴＴグループとＭＣＰＴＴユーザが関連付けられることができるかを決定する。この実施例の方法は下記を含み得る。すなわち、
Ｓ４０１：ＵＥは第１の関連付け要求を、ＭＣＰＴＴユーザを管理するように構成されたＭＣＰＴＴサーバへ送出する。
【００８０】
この実施例では、ＭＣＰＴＴユーザがＮ個のＭＣＰＴＴグループとの関連付けを開始すると、ＭＣＰＴＴユーザによって使用されるＵＥは、第１の関連付け要求を生成し、第１の関連付け要求を、ＭＣＰＴＴユーザを管理するように構成されたＭＣＰＴＴサーバへ送出する。第１の関連付け要求は、ＭＣＰＴＴユーザの識別子、及びＮ個のＭＣＰＴＴグループの識別子を含み、第１の関連付け要求は、ＭＣＰＴＴユーザをＮ個のＭＣＰＴＴグループと関連付けるように要求するために使用され、Ｎは１以上の整数である。
【００８１】
Ｓ４０２：ＭＣＰＴＴユーザを管理するように構成されたＭＣＰＴＴサーバは、ＭＣＰＴＴユーザの関連付けサブスクリプション情報に従って、第１の関連付け情報を生成する。
【００８２】
この実施例では、ＭＣＰＴＴユーザを管理するように構成されたＭＣＰＴＴサーバが、ＵＥによって送出された第１の関連付け要求を受信した後に、ＭＣＰＴＴユーザを管理するように構成されたＭＣＰＴＴサーバは、ＭＣＰＴＴユーザの関連付けサブスクリプション情報を取得することができ、ここで、ＭＣＰＴＴユーザの関連付けサブスクリプション情報は、ＭＣＰＴＴユーザが関連付けられることができるＭＣＰＴＴグループを示すために使用され、ＭＣＰＴＴユーザを管理するように構成されたＭＣＰＴＴサーバは、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定し、そして次に、第１の関連付け情報を生成することができる。第１の関連付け情報は、ＭＣＰＴＴユーザとＭ個のＭＣＰＴＴグループとの間の関連付け関係を示すために使用され、Ｍは１以上でＮ以下の整数である。
【００８３】
任意選択で、ＭＣＰＴＴユーザを管理するように構成されたＭＣＰＴＴサーバが、第１の関連付け情報をＭＣＰＴＴユーザの関連付けサブスクリプション情報に従って生成する前に、ＭＣＰＴＴユーザを管理するように構成されたＭＣＰＴＴサーバは、ＭＣＰＴＴユーザの識別子に従って、ＭＣＰＴＴユーザのサブスクリプションデータを取得し、次に、ＭＣＰＴＴユーザのサブスクリプションデータに従って、ＭＣＰＴＴユーザの関連付けサブスクリプション情報を取得することができる。ＭＣＰＴＴユーザのサブスクリプションデータは、ＭＣＰＴＴユーザが関連付けられることができるＭＣＰＴＴグループ、及び／又はＭＣＰＴＴユーザが関連付けられることができないＭＣＰＴＴグループを示すことができる。したがって、ＭＣＰＴＴユーザを管理するように構成されたＭＣＰＴＴサーバは、ＭＣＰＴＴユーザのサブスクリプションデータ中の、ＭＣＰＴＴユーザが関連付けられることができるＭＣＰＴＴグループ、及び／又はＭＣＰＴＴユーザが関連付けられることができないＭＣＰＴＴグループを示す情報を、ＭＣＰＴＴユーザの関連付けサブスクリプション情報として使用する。任意選択で、ＭＣＰＴＴユーザのＭＣＰＴＴサーバが、ＭＣＰＴＴユーザのサブスクリプションデータをグループデータベースの配置のために構成されたネットワークデバイスから取得することができる。
【００８４】
任意選択で、ＭＣＰＴＴユーザを管理するように構成されたＭＣＰＴＴサーバが、第１の関連付け情報をＭＣＰＴＴユーザの関連付けサブスクリプション情報に従って生成する前に、ＭＣＰＴＴユーザを管理するように構成されたＭＣＰＴＴサーバは、Ｎ個のＭＣＰＴＴグループの識別子に従ってＮ個のＭＣＰＴＴグループのグループ情報を取得し、次に、Ｎ個のＭＣＰＴＴグループのグループ情報及びＭＣＰＴＴユーザの識別子に従って、ＭＣＰＴＴユーザの関連付けサブスクリプション情報を取得する。各ＭＣＰＴＴグループのグループ情報は、ＭＣＰＴＴグループと関連付けられることができるＭＣＰＴＴユーザ、及び／又はＭＣＰＴＴグループと関連付けられることができないＭＣＰＴＴユーザを示し得る。したがって、ＭＣＰＴＴユーザが関連付けられることができるＭＣＰＴＴグループ、及び／又はＭＣＰＴＴユーザが関連付けられることができないＭＣＰＴＴグループを示すために使用される情報は、Ｎ個のＭＣＰＴＴグループのグループ情報及びＭＣＰＴＴユーザの識別子に従って取得されることができ、この情報は、ＭＣＰＴＴユーザの関連付けサブスクリプション情報として使用される。任意選択で、ＭＣＰＴＴユーザを管理するように構成されたＭＣＰＴＴサーバは、Ｎ個のＭＣＰＴＴグループのグループ情報を、グループデータベースの配置のために構成されたネットワークデバイスから、又はＭＣＰＴＴグループを管理するように構成されたＭＣＰＴＴサーバから取得することができる。
【００８５】
Ｓ４０３：ＭＣＰＴＴユーザを管理するように構成されたＭＣＰＴＴサーバは、第１の関連付け応答をＵＥへ送出する。
【００８６】
この実施例では、第１の関連付け情報を生成した後に、ＭＣＰＴＴユーザを管理するように構成されたＭＣＰＴＴサーバは、第１の関連付け応答をＵＥへ送出する。第１の関連付け応答は、ＭＣＰＴＴユーザがＭ個のＭＣＰＴＴグループと成功裏に関連付けられていることを示すために使用される。任意選択で、第１の関連付け応答は更に、ＭＣＰＴＴユーザが、これらのＭＣＰＴＴグループ以外の、Ｎ個のＭＣＰＴＴグループのうちの１つのＭＣＰＴＴグループと関連付けられることができなかったことを示すために使用される。それに応じて、第１の関連付け応答を受信した後に、ＵＥは、ＭＣＰＴＴユーザとＭ個のＭＣＰＴＴグループとの間の関連付けを完了する。
【００８７】
任意選択で、Ｓ４０２が実行された後に、すなわち、ＭＣＰＴＴユーザを管理するように構成されたＭＣＰＴＴサーバが第１の関連付け情報を生成した後に、第１の関連付け情報は保存される必要がある。これは、下記の任意選択の実現解決策を使用して実施され得る。
【００８８】
第１の任意選択の実現解決策では、Ｓ４０２が実行された後にＳ４０４が実行される。
【００８９】
Ｓ４０４：ＭＣＰＴＴユーザを管理するように構成されたＭＣＰＴＴサーバは、第１の関連付け情報を保存する。
【００９０】
この実施例では、ＭＣＰＴＴユーザとＭＣＰＴＴグループとの間の関連付け関係が、ＭＣＰＴＴユーザを管理するように構成されたＭＣＰＴＴサーバに保存される必要がある場合、第１の関連付け情報を生成した後に、ＭＣＰＴＴユーザを管理するように構成されたＭＣＰＴＴサーバは、第１の関連付け情報を保存する。
【００９１】
第２の任意選択の実現解決策では、Ｓ４０２が実行された後にＳ４０５及びＳ４０６が実行される。
【００９２】
Ｓ４０５：ＭＣＰＴＴユーザを管理するように構成されたＭＣＰＴＴサーバは、第１の関連付け情報をグループデータベースの配置のために構成されたネットワークデバイスへ送出する。
【００９３】
Ｓ４０６：グループデータベースの配置のために構成されたネットワークデバイスは、第１の関連付け情報を保存する。
【００９４】
この実施例では、ＭＣＰＴＴユーザとＭＣＰＴＴグループとの間の関連付け関係が、グループデータベースの配置のために構成されたネットワークデバイスに保存される必要がある場合、第１の関連付け情報を生成した後に、ＭＣＰＴＴユーザを管理するように構成されたＭＣＰＴＴサーバは、第１の関連付け情報をグループデータベースの配置のために構成されたネットワークデバイスへ送出し、グループデータベースの配置のために構成されたネットワークデバイスは、第１の関連付け情報を受信し、第１の関連付け情報を保存する。たとえば、グループデータベースの配置のために構成されたネットワークデバイスは、各ＭＣＰＴＴグループのグループ情報を保存することができ、また、グループデータベースの配置のために構成されたネットワークデバイスは、Ｍ個のＭＣＰＴＴグループのグループ情報を第１の関連付け情報に従って更新する。
【００９５】
第３の任意選択の実現解決策では、Ｓ４０２が実行された後にＳ４０７及びＳ４０８が実行される。
【００９６】
Ｓ４０７：ＭＣＰＴＴユーザを管理するように構成されたＭＣＰＴＴサーバは、第２の関連付け情報を第２のＭＣＰＴＴサーバへ第１の関連付け情報に従って送出する。
【００９７】
Ｓ４０８：第２のＭＣＰＴＴサーバは、第２の関連付け情報を保存する。
【００９８】
この実施例では、Ｍ個のＭＣＰＴＴグループは、Ｋ個の第２のＭＣＰＴＴサーバによって管理される。すなわち、それぞれの第２のＭＣＰＴＴサーバは、Ｍ個のＭＣＰＴＴグループのうちの少なくとも１つのＭＣＰＴＴグループを管理し、Ｋ個の第２のＭＣＰＴＴサーバによって管理されるＭＣＰＴＴグループは、Ｍ個のＭＣＰＴＴグループを含む。ＭＣＰＴＴユーザとＭＣＰＴＴグループとの間の関連付け関係が、ＭＣＰＴＴグループを管理するように構成されたＭＣＰＴＴサーバに保存されている場合、ＭＣＰＴＴユーザを管理するように構成されたＭＣＰＴＴサーバは、対応する第２の関連付け情報をＫ個の第２のＭＣＰＴＴサーバそれぞれへ第１の関連付け情報に従って送出し、第２の関連付け情報の各要素が、ＭＣＰＴＴユーザと、第２の関連付け情報を受信する第２のＭＣＰＴＴサーバによって管理される少なくとも１つのＭＣＰＴＴグループとの間の関連付け情報を示すために使用される。それぞれの第２のＭＣＰＴＴサーバが、対応する第２の関連付け情報を受信し、次に、受信された第２の関連付け情報を保存する。
【００９９】
Ｋ個の第２のＭＣＰＴＴサーバのうち１つのＭＣＰＴＴサーバだけがＳ４０７及びＳ４０８に示されており、他の第２のＭＣＰＴＴサーバは、同様であるが図４には示されていないことに留意されたい。
【０１００】
実際の適用例では、ＭＣＰＴＴユーザとＭＣＰＴＴグループとの間の関連付け関係が下記のうちの少なくとも１つに、すなわち、ＭＣＰＴＴユーザを管理するように構成されたＭＣＰＴＴサーバ、グループデータベースの配置のために構成されたネットワークデバイス、又はＭＣＰＴＴグループを管理するように構成されたＭＣＰＴＴサーバに保存され、それに応じて、下記のうちの少なくとも１つが、すなわちＳ４０４、Ｓ４０５とＳ４０６、又はＳ４０７とＳ４０８が実行され得る、ということに留意されたい。
【０１０１】
任意選択で、ＭＣＰＴＴユーザを管理するように構成されたＭＣＰＴＴサーバがＳ４０２を実行する前に、ＭＣＰＴＴユーザを管理するように構成されたＭＣＰＴＴサーバは、Ｍ個のＭＣＰＴＴグループのグループ情報及びＭＣＰＴＴユーザの識別子に従って、ＭＣＰＴＴユーザがＭ個のＭＣＰＴＴグループのうちの許可されたＭＣＰＴＴグループのユーザであると決定する。すなわち、グループユーザ識別の妥当性検査が、ＭＣＰＴＴユーザの識別子及びＮ個のＭＣＰＴＴグループのグループ情報を使用して実行される。たとえば、あるＭＣＰＴＴユーザが１つのＭＣＰＴＴグループの許可されたＭＣＰＴＴグループのユーザである場合、ＭＣＰＴＴグループのグループ情報はＭＣＰＴＴユーザを含む。したがって、各ＭＣＰＴＴグループのグループ情報がＭＣＰＴＴユーザの識別子を含むかどうかが決定されることができ、それによりＭＣＰＴＴユーザが、Ｎ個のＭＣＰＴＴグループのうちのどのＭＣＰＴＴグループの許可されたＭＣＰＴＴグループのユーザであるかを決定することができる。任意選択で、この前に、ＭＣＰＴＴユーザを管理するように構成されたＭＣＰＴＴサーバが、Ｎ個のＭＣＰＴＴグループのグループ情報を取得することが更に含まれる。
【０１０２】
この実施例では、ＵＥが第１の関連付け要求を、ＭＣＰＴＴユーザを管理するように構成されたＭＣＰＴＴサーバへ送出し、次に、ＭＣＰＴＴユーザを管理するように構成されたＭＣＰＴＴサーバは、第１の関連付け情報をＭＣＰＴＴユーザの関連付けサブスクリプション情報に従って生成し、第１の関連付け応答をＵＥへ送出して、それによりＭＣＰＴＴユーザがＭ個のＭＣＰＴＴグループと成功裏に関連付けられていることを通知する。このようにしてＭＣＰＴＴユーザは、ＭＣＰＴＴユーザが関心を持つＭ個のＭＣＰＴＴグループと関連付けられる。
【０１０３】
図５は、本発明による、ユーザをグループと関連付ける方法の実施例５の流れ図である。図５に示されるように、この実施例は、本発明の方法の実施例１及び実施例３に基づいている。第１の通信デバイスが第１のＭＣＰＴＴサーバであり、第１のＭＣＰＴＴサーバは、Ｎ個のＭＣＰＴＴグループを管理するように構成されたＭＣＰＴＴサーバであり、第２の通信デバイスが、ＵＥである。この実施例では、１つのＭＣＰＴＴグループを管理するように構成されたＭＣＰＴＴサーバは、受信した第１の関連付け要求に対する権限付与検査を行い、すなわち、ＭＣＰＴＴユーザの関連付けサブスクリプション情報に従って、関連付け要求中のどのＭＣＰＴＴグループとＭＣＰＴＴユーザが関連付けられることができるかを決定する。この実施例の方法は下記を含み得る。すなわち、
Ｓ５０１：ＵＥは第１の関連付け要求を、Ｎ個のＭＣＰＴＴグループを管理するように構成されたＭＣＰＴＴサーバへ送出する。
【０１０４】
この実施例におけるＳ５０１の具体的な実施過程に関しては、本発明の方法の実施例４についての関連説明を参照することができ、詳細はここでは再度説明されない。
【０１０５】
ＭＣＰＴＴユーザが複数のＭＣＰＴＴグループとの関連付けを開始し、少なくとも２つのＭＣＰＴＴサーバが、複数のＭＣＰＴＴグループを管理するように構成されている場合、ＵＥは、関連付け要求を各ＭＣＰＴＴサーバへ送出する、ということに留意されたい。この実施例において第１の関連付け要求中で伝えられるＮ個のＭＣＰＴＴグループの識別子は、ＭＣＰＴＴユーザが関連付けを開始する複数のＭＣＰＴＴグループすべての識別子のうちの一部である。
【０１０６】
Ｓ５０２：Ｎ個のＭＣＰＴＴグループを管理するように構成されたＭＣＰＴＴサーバは、第１の関連付け情報をＭＣＰＴＴユーザの関連付けサブスクリプション情報に従って生成する。
【０１０７】
Ｓ５０３：Ｎ個のＭＣＰＴＴグループを管理するように構成されたＭＣＰＴＴサーバは、第１の関連付け応答をＵＥへ送出する。
【０１０８】
この実施例におけるＳ５０２及びＳ５０３の具体的な実施過程に関しては、本発明の方法の実施例４におけるＳ４０２及びＳ４０３についての関連説明を参照することができ、詳細はここでは再度説明されない。
【０１０９】
任意選択で、Ｓ５０２が実行された後に、すなわち、Ｎ個のＭＣＰＴＴグループを管理するように構成されたＭＣＰＴＴサーバが第１の関連付け情報を生成した後に、第１の関連付け情報は保存される必要がある。これは、下記の任意選択の実現解決策を使用して実施され得る。
【０１１０】
第１の任意選択の実現解決策では、Ｓ５０２が実行された後にＳ５０４が実行される。
【０１１１】
Ｓ５０４：Ｎ個のＭＣＰＴＴグループを管理するように構成されたＭＣＰＴＴサーバは、第１の関連付け情報を保存する。
【０１１２】
この実施例では、ＭＣＰＴＴユーザとＭＣＰＴＴグループとの間の関連付け関係が、ＭＣＰＴＴユーザを管理するように構成されたＭＣＰＴＴサーバに保存される必要がある場合、第１の関連付け情報を生成した後に、Ｎ個のＭＣＰＴＴグループを管理するように構成されたＭＣＰＴＴサーバは、第１の関連付け情報を保存する。
【０１１３】
第２の任意選択の実現解決策では、Ｓ５０２が実行された後にＳ５０５及びＳ５０６が実行される。
【０１１４】
Ｓ５０５：Ｎ個のＭＣＰＴＴグループを管理するように構成されたＭＣＰＴＴサーバは、第１の関連付け情報をグループデータベースの配置のために構成されたネットワークデバイスへ送出する。
【０１１５】
Ｓ５０６：グループデータベースの配置のために構成されたネットワークデバイスは、第１の関連付け情報を保存する。
【０１１６】
この実施例におけるＳ５０５及びＳ５０６の具体的な実施過程に関しては、本発明の方法の実施例４におけるＳ４０５及びＳ４０６についての関連説明を参照することができ、詳細はここでは再度説明されない。
【０１１７】
第３の任意選択の実現解決策では、Ｓ５０２が実行された後にＳ５０７及びＳ５０８が実行される。
【０１１８】
Ｓ５０７：Ｎ個のＭＣＰＴＴグループを管理するように構成されたＭＣＰＴＴサーバは、第１の関連付け情報を、ＭＣＰＴＴユーザを管理するように構成されたＭＣＰＴＴサーバへ送出する。
【０１１９】
Ｓ５０８：ＭＣＰＴＴユーザを管理するように構成されたＭＣＰＴＴサーバは、第１の関連付け情報を保存する。
【０１２０】
この実施例では、ＭＣＰＴＴユーザとＭＣＰＴＴグループとの間の関連付け関係が、ＭＣＰＴＴユーザを管理するように構成されたＭＣＰＴＴサーバに保存される必要がある場合、第１の関連付け情報を生成した後に、Ｎ個のＭＣＰＴＴグループを管理するように構成されたＭＣＰＴＴサーバは、第１の関連付け情報を、ＭＣＰＴＴユーザを管理するように構成されたＭＣＰＴＴサーバへ送出し、ＭＣＰＴＴユーザを管理するように構成されたＭＣＰＴＴサーバは、第１の関連付け情報を受信し、第１の関連付け情報を保存する。
【０１２１】
実際の適用例では、ＭＣＰＴＴユーザとＭＣＰＴＴグループとの間の関連付け関係が下記のうちの少なくとも１つに、すなわち、ＭＣＰＴＴユーザを管理するように構成されたＭＣＰＴＴサーバ、グループデータベースの配置のために構成されたネットワークデバイス、又はＭＣＰＴＴグループを管理するように構成されたＭＣＰＴＴサーバに保存され、それに応じて、下記のうちの少なくとも１つが、すなわちＳ５０４、Ｓ５０５とＳ５０６、又はＳ５０７とＳ５０８が実行され得る、ということに留意されたい。
【０１２２】
任意選択で、Ｎ個のＭＣＰＴＴグループを管理するように構成されたＭＣＰＴＴサーバがＳ５０２を実行する前に、Ｎ個のＭＣＰＴＴグループを管理するように構成されたＭＣＰＴＴサーバは、Ｍ個のＭＣＰＴＴグループのグループ情報及びＭＣＰＴＴユーザの識別子に従って、ＭＣＰＴＴユーザがＭ個のＭＣＰＴＴグループのうちの許可されたＭＣＰＴＴグループのユーザであると決定する。
【０１２３】
この実施例では、ＵＥが第１の関連付け要求を、Ｎ個のＭＣＰＴＴグループを管理するように構成されたＭＣＰＴＴサーバへ送出し、次に、Ｎ個のＭＣＰＴＴグループを管理するように構成されたＭＣＰＴＴサーバは、第１の関連付け情報をＭＣＰＴＴユーザの関連付けサブスクリプション情報に従って生成し、第１の関連付け応答をＵＥへ送出して、ＭＣＰＴＴユーザがＭ個のＭＣＰＴＴグループと成功裏に関連付けられていることを通知する。このようにしてＭＣＰＴＴユーザは、ＭＣＰＴＴユーザが関心を持つＭ個のＭＣＰＴＴグループと関連付けられる。
【０１２４】
図６は、本発明による、ユーザをグループと関連付ける方法の実施例６の流れ図である。図６に示されるように、この実施例は、本発明の方法の実施例１及び実施例３に基づいている。第１の通信デバイスが第１のＭＣＰＴＴサーバであり、第１のＭＣＰＴＴサーバは、Ｎ個のＭＣＰＴＴグループを管理するように構成されたＭＣＰＴＴサーバであり、第２の通信デバイスが、ＵＥである。この実施例では、１つのＭＣＰＴＴグループを管理するように構成されたＭＣＰＴＴサーバは、受信した第１の関連付け要求に対する権限付与検査を行い、すなわち、ＭＣＰＴＴユーザの関連付けサブスクリプション情報に従って、関連付け要求中のどのＭＣＰＴＴグループとＭＣＰＴＴユーザが関連付けられることができるかを決定する。この実施例の方法は下記を含み得る。すなわち、
Ｓ６０１：ＵＥは第１の関連付け要求を、Ｎ個のＭＣＰＴＴグループを管理するように構成されたＭＣＰＴＴサーバへ送出する。
【０１２５】
この実施例におけるＳ６０１の具体的な実施過程に関しては、本発明の方法の実施例４についての関連説明を参照することができ、詳細はここでは再度説明されない。
【０１２６】
Ｓ６０２：Ｎ個のＭＣＰＴＴグループを管理するように構成されたＭＣＰＴＴサーバは、ＭＣＰＴＴユーザの関連付けサブスクリプション情報に従って、ＭＣＰＴＴユーザをＮ個のＭＣＰＴＴグループのうちのＲ個のＭＣＰＴＴグループと関連付けることを決定する。
【０１２７】
この実施例では、第１の関連付け要求を受信した後に、Ｎ個のＭＣＰＴＴグループを管理するように構成されたＭＣＰＴＴサーバは、ＭＣＰＴＴユーザの関連付けサブスクリプション情報をＭＣＰＴＴユーザの識別子に従って取得する。ＭＣＰＴＴユーザの関連付けサブスクリプション情報は、ＭＣＰＴＴユーザが関連付けられることができるＭＣＰＴＴグループを示すために使用される。したがって、Ｎ個のＭＣＰＴＴグループのうちの、ＭＣＰＴＴユーザが関連付けられることができるＲ個のＭＣＰＴＴグループがＭＣＰＴＴユーザの関連付けサブスクリプション情報に従って決定されることができ、それによりＭＣＰＴＴユーザをＮ個のＭＣＰＴＴグループのうちのＲ個のＭＣＰＴＴグループと関連付けることを決定することができ、ここで１≦Ｒ≦Ｎであり、Ｒは整数である。
【０１２８】
Ｓ６０３：Ｎ個のＭＣＰＴＴグループを管理するように構成されたＭＣＰＴＴサーバは、第２の関連付け要求を、ＭＣＰＴＴユーザを管理するように構成されたＭＣＰＴＴサーバへ送出する。
【０１２９】
この実施例では、Ｎ個のＭＣＰＴＴグループを管理するように構成されたＭＣＰＴＴサーバが、ＭＣＰＴＴユーザのＲ個のＭＣＰＴＴグループをＮ個のＭＣＰＴＴグループと関連付けることを決定した後に、Ｎ個のＭＣＰＴＴグループを管理するように構成されたＭＣＰＴＴサーバは、第２の関連付け要求を、ＭＣＰＴＴユーザを管理するように構成されたＭＣＰＴＴサーバへ送出する。第２の関連付け要求は、ＭＣＰＴＴユーザの識別子及びＲ個のＭＣＰＴＴグループの識別子を含み、第２の関連付け要求は、ＭＣＰＴＴユーザをＲ個のＭＣＰＴＴグループと関連付けるように要求するために使用される。
【０１３０】
Ｓ６０４：ＭＣＰＴＴユーザを管理するように構成されたＭＣＰＴＴサーバは、第２の関連付け要求及びＭＣＰＴＴユーザの関連付けサブスクリプション情報に従って、ＭＣＰＴＴユーザをＲ個のＭＣＰＴＴグループのうちのＭ個のＭＣＰＴＴグループと関連付けることを決定する。
【０１３１】
この実施例では、Ｎ個のＭＣＰＴＴグループを管理するように構成されたＭＣＰＴＴサーバによって送出された第２の関連付け要求を受信した後に、ＭＣＰＴＴユーザを管理するように構成されたＭＣＰＴＴサーバは、ＭＣＰＴＴユーザの関連付けサブスクリプション情報をＭＣＰＴＴユーザの識別子に従って取得し、次に、第２の関連付け要求及びＭＣＰＴＴユーザの関連付けサブスクリプション情報に従って、ＭＣＰＴＴユーザがＲ個のＭＣＰＴＴグループのうちのＭ個のＭＣＰＴＴグループと関連付けられることができると決定し、ここで１≦Ｍ≦Ｒであり、Ｍは整数である。Ｍ個のＭＣＰＴＴグループは、ＭＣＰＴＴグループ中にある、ＭＣＰＴＴユーザを管理するように構成されたＭＣＰＴＴサーバによって、ＭＣＰＴＴユーザが関連付けられることができると決定されるＭＣＰＴＴグループであり、また、ＭＣＰＴＴグループ中にある、Ｎ個のＭＣＰＴＴグループを管理するように構成されたＭＣＰＴＴサーバによって、ＭＣＰＴＴユーザが関連付けられることができると決定されるＭＣＰＴＴグループでもある。
【０１３２】
ＭがＲと等しくないとき、理由は、Ｎ個のＭＣＰＴＴグループを管理するように構成されたＭＣＰＴＴサーバは、ＭＣＰＴＴユーザの関連付けサブスクリプション情報をＮ個のＭＣＰＴＴグループのグループ情報に従って取得するが、ＭＣＰＴＴユーザを管理するように構成されたＭＣＰＴＴサーバは、ＭＣＰＴＴユーザの関連付けサブスクリプション情報をＭＣＰＴＴユーザのサブスクリプションデータに従って取得する、ということであり得る、ということに留意されたい。すなわち、いくつかのＭＣＰＴＴグループのグループ情報は、ＭＣＰＴＴユーザがこれらのＭＣＰＴＴグループと関連付けられることができることを示すが、ＭＣＰＴＴユーザのサブスクリプションデータは、ＭＣＰＴＴユーザがこれらのＭＣＰＴＴグループと関連付けられることができることを示していない。
【０１３３】
Ｓ６０５：ＭＣＰＴＴユーザを管理するように構成されたＭＣＰＴＴサーバは、第２の関連付け応答を、Ｎ個のＭＣＰＴＴグループを管理するように構成されたＭＣＰＴＴサーバへ送出する。
【０１３４】
この実施例では、ＭＣＰＴＴユーザをＲ個のＭＣＰＴＴグループのうちのＭ個のＭＣＰＴＴグループと関連付けることを決定した後に、ＭＣＰＴＴユーザを管理するように構成されたＭＣＰＴＴサーバは、第２の関連付け応答を、Ｎ個のＭＣＰＴＴグループを管理するように構成されたＭＣＰＴＴサーバへ送出する。第２の関連付け応答は、ＭＣＰＴＴユーザをＲ個のＭＣＰＴＴグループのうちのＭ個のＭＣＰＴＴグループと関連付けることを指示するために使用される。
【０１３５】
Ｓ６０６：Ｎ個のＭＣＰＴＴグループを管理するように構成されたＭＣＰＴＴサーバは、第１の関連付け情報を第２の関連付け応答に従って生成する。
【０１３６】
この実施例では、第２の関連付け応答を受信した後に、Ｎ個のＭＣＰＴＴグループを管理するように構成されたＭＣＰＴＴサーバは、ＭＣＰＴＴユーザをＲ個のＭＣＰＴＴグループのうちのＭ個のＭＣＰＴＴグループと関連付けることを決定し、次に、第１の関連付け情報を生成する。第１の関連付け情報は、ＭＣＰＴＴユーザとＭ個のＭＣＰＴＴグループとの間の関連付け関係を示すために使用される。
【０１３７】
Ｓ６０７：Ｎ個のＭＣＰＴＴグループを管理するように構成されたＭＣＰＴＴサーバは、第１の関連付け応答をＵＥへ送出する。
【０１３８】
Ｓ６０８：Ｎ個のＭＣＰＴＴグループを管理するように構成されたＭＣＰＴＴサーバは、第１の関連付け情報を保存する。
【０１３９】
Ｓ６０９：Ｎ個のＭＣＰＴＴグループを管理するように構成されたＭＣＰＴＴサーバは、第１の関連付け情報をグループデータベースの配置のために構成されたネットワークデバイスへ送出する。
【０１４０】
Ｓ６１０：グループデータベースの配置のために構成されたネットワークデバイスは、第１の関連付け情報を保存する。
【０１４１】
Ｓ６１１：Ｎ個のＭＣＰＴＴグループを管理するように構成されたＭＣＰＴＴサーバは、第１の関連付け情報を、ＭＣＰＴＴユーザを管理するように構成されたＭＣＰＴＴサーバへ送出する。
【０１４２】
Ｓ６１２：ＭＣＰＴＴユーザを管理するように構成されたＭＣＰＴＴサーバは、第１の関連付け情報を保存する。
【０１４３】
この実施例におけるＳ６０７からＳ６１２の具体的な実施過程に関しては、本発明の方法の実施例５におけるＳ５０３からＳ５０８についての関連説明を参照することができ、詳細はここでは再度説明されない。
【０１４４】
この実施例では、ＵＥが第１の関連付け要求を、Ｎ個のＭＣＰＴＴグループを管理するように構成されたＭＣＰＴＴサーバへ送出し、次に、Ｎ個のＭＣＰＴＴグループを管理するように構成されたＭＣＰＴＴサーバは、ＭＣＰＴＴユーザを管理するように構成されたＭＣＰＴＴサーバとの対話によって、ＭＣＰＴＴユーザをＭ個のＭＣＰＴＴグループと関連付けることを決定し、次に、第１の関連付け情報を生成し、第１の関連付け応答をＵＥへ送出して、ＭＣＰＴＴユーザがＭ個のＭＣＰＴＴグループと成功裏に関連付けられていることを通知する。このようにしてＭＣＰＴＴユーザは、ＭＣＰＴＴユーザが関心を持つＭ個のＭＣＰＴＴグループと関連付けられる。
【０１４５】
図７は、本発明による、ユーザをグループと関連付ける方法の実施例７の流れ図である。図７に示されるように、この実施例は、本発明の方法の実施例１及び実施例３に基づいている。第１の通信デバイスは、グループデータベースの配置のために構成されたネットワークデバイスであり、第２の通信デバイスが、ＵＥである。この実施例では、グループデータベースの配置のために構成されたネットワークデバイスは、受信した第１の関連付け要求に対する権限付与検査を行い、すなわち、ＭＣＰＴＴユーザの関連付けサブスクリプション情報に従って、第１の関連付け要求中のどのＭＣＰＴＴグループとＭＣＰＴＴユーザが関連付けられることができるかを決定する。
【０１４６】
この実施例では、ＵＥ、及びグループデータベースの配置のために構成されたネットワークデバイスによって送信される第１の関連付け要求及び第１の関連付け応答は、ＭＣＰＴＴユーザを管理するように構成されたＭＣＰＴＴサーバを通過する。この実施例の方法は下記を含み得る。すなわち、
Ｓ７０１：ＵＥは第１の関連付け要求を、ＭＣＰＴＴユーザを管理するように構成されたＭＣＰＴＴサーバへ送出する。
【０１４７】
この実施例におけるＳ７０１の具体的な実施過程に関しては、本発明の方法の実施例４についての関連説明を参照することができ、詳細はここでは再度説明されない。
【０１４８】
Ｓ７０２：ＭＣＰＴＴユーザを管理するように構成されたＭＣＰＴＴサーバは、第１の関連付け要求をグループデータベースの配置のために構成されたネットワークデバイスへ送出する。
【０１４９】
この実施例では、ＭＣＰＴＴユーザを管理するように構成されたＭＣＰＴＴサーバが、ＵＥによって送出された第１の関連付け要求を受信した後に、ＭＣＰＴＴユーザを管理するように構成されたＭＣＰＴＴサーバは、第１の関連付け要求をグループデータベースの配置のために構成されたネットワークデバイスへ送出する。
【０１５０】
Ｓ７０３：グループデータベースの配置のために構成されたネットワークデバイスは、第１の関連付け情報をＭＣＰＴＴユーザの関連付けサブスクリプション情報に従って生成する。
【０１５１】
この実施例におけるＳ７０３の具体的な実施過程に関しては、本発明の方法の実施例４のＳ４０２についての関連説明を参照することができ、詳細はここでは再度説明されない。
【０１５２】
Ｓ７０４：グループデータベースの配置のために構成されたネットワークデバイスは、第１の関連付け応答を、ＭＣＰＴＴユーザを管理するように構成されたＭＣＰＴＴサーバへ送出する。
【０１５３】
この実施例では、グループデータベースの配置のために構成されたネットワークデバイスが第１の関連付け情報を生成した後に、グループデータベースの配置のために構成されたネットワークデバイスは第１の関連付け応答を、ＭＣＰＴＴユーザを管理するように構成されたＭＣＰＴＴサーバへ送出する。第１の関連付け応答は、ＭＣＰＴＴユーザがＭ個のＭＣＰＴＴグループと成功裏に関連付けられていることを示すために使用される。任意選択で、第１の関連付け応答は更に、ＭＣＰＴＴユーザが、これらＭ個のＭＣＰＴＴグループ以外の、Ｎ個のＭＣＰＴＴグループのうちの１つのＭＣＰＴＴグループと関連付けられることができなかったことを示すために使用される。
【０１５４】
Ｓ７０５：ＭＣＰＴＴユーザを管理するように構成されたＭＣＰＴＴサーバは、第１の関連付け応答をＵＥへ送出する。
【０１５５】
この実施例では、グループデータベースの配置のために構成されたネットワークデバイスによって送出された第１の関連付け応答を受信した後に、ＭＣＰＴＴユーザを管理するように構成されたＭＣＰＴＴサーバは、第１の関連付け応答をＵＥへ転送する。それに応じて、第１の関連付け応答を受信した後に、ＵＥは、ＭＣＰＴＴユーザとＭ個のＭＣＰＴＴグループとの間の関連付けを完了する。
【０１５６】
任意選択で、Ｓ７０３が実行された後に、すなわち、グループデータベースの配置のために構成されたネットワークデバイスが第１の関連付け情報を生成した後に、第１の関連付け情報は更に保存される必要がある。これは、下記の任意選択の実現解決策を使用して実施され得る。
【０１５７】
第１の任意選択の実現解決策では、Ｓ７０３が実行された後にＳ７０６が実行される。
【０１５８】
Ｓ７０６：グループデータベースの配置のために構成されたネットワークデバイスは、第１の関連付け情報を保存する。
【０１５９】
この実施例では、ＭＣＰＴＴユーザとＭＣＰＴＴグループとの間の関連付け関係が、グループデータベースの配置のために構成されたネットワークデバイスに保存される必要がある場合、第１の関連付け情報を生成した後に、グループデータベースの配置のために構成されたネットワークデバイスは、第１の関連付け情報を保存する。
【０１６０】
第２の任意選択の実現解決策では、Ｓ７０３が実行された後にＳ７０７及びＳ７０８が実行される。
【０１６１】
Ｓ７０７：グループデータベースの配置のために構成されたネットワークデバイスは、第１の関連付け情報を、ＭＣＰＴＴユーザを管理するように構成されたＭＣＰＴＴサーバへ送出する。
【０１６２】
Ｓ７０８：ＭＣＰＴＴユーザを管理するように構成されたＭＣＰＴＴサーバは、第１の関連付け情報を保存する。
【０１６３】
この実施例では、ＭＣＰＴＴユーザとＭＣＰＴＴグループとの間の関連付け関係が、ＭＣＰＴＴユーザを管理するように構成されたＭＣＰＴＴサーバに保存される必要がある場合、第１の関連付け情報を生成した後に、グループデータベースの配置のために構成されたネットワークデバイスは、第１の関連付け情報を、ＭＣＰＴＴユーザを管理するように構成されたＭＣＰＴＴサーバへ送出し、ＭＣＰＴＴユーザを管理するように構成されたＭＣＰＴＴサーバは、第１の関連付け情報を受信し、第１の関連付け情報を保存する。
【０１６４】
第３の任意選択の実現解決策では、Ｓ７０３が実行された後にＳ７０９及びＳ７１０が実行される。
【０１６５】
Ｓ７０９：グループデータベースの配置のために構成されたネットワークデバイスは、第２の関連付け情報を第２のＭＣＰＴＴサーバへ第１の関連付け情報に従って送出する。
【０１６６】
Ｓ７１０：第２のＭＣＰＴＴサーバは、第２の関連付け情報を保存する。
【０１６７】
この実施例におけるＳ７０９及びＳ７１０の具体的な実施過程に関しては、本発明の方法の実施例４のＳ４０７及びＳ４０８についての関連説明を参照することができ、詳細はここでは再度説明されない。
【０１６８】
実際の適用例では、ＭＣＰＴＴユーザとＭＣＰＴＴグループとの間の関連付け関係が下記のうちの少なくとも１つに、すなわち、ＭＣＰＴＴユーザを管理するように構成されたＭＣＰＴＴサーバ、グループデータベースの配置のために構成されたネットワークデバイス、又はＭＣＰＴＴグループを管理するように構成されたＭＣＰＴＴサーバに保存され、それに応じて、下記のうちの少なくとも１つが、すなわちＳ７０６、Ｓ７０７とＳ７０８、又はＳ７０９とＳ７１０が実行され得る、ということに留意されたい。
【０１６９】
任意選択で、グループデータベースの配置のために構成されたネットワークデバイスがＳ７０３を実行する前に、グループデータベースの配置のために構成されたネットワークデバイスは、Ｍ個のＭＣＰＴＴグループのグループ情報及びＭＣＰＴＴユーザの識別子に従って、ＭＣＰＴＴユーザがＭ個のＭＣＰＴＴグループのうちの許可されたＭＣＰＴＴグループのユーザであると決定する。
【０１７０】
任意選択で、ＭＣＰＴＴユーザを管理するように構成されたＭＣＰＴＴサーバがＳ７０２を実行する前に、ＭＣＰＴＴユーザを管理するように構成されたＭＣＰＴＴサーバは、Ｍ個のＭＣＰＴＴグループのグループ情報及びＭＣＰＴＴユーザの識別子に従って、ＭＣＰＴＴユーザがＭ個のＭＣＰＴＴグループのうちの許可されたＭＣＰＴＴグループのユーザであると決定する。
【０１７１】
この実施例では、ＵＥは、ＭＣＰＴＴユーザを管理するように構成されたＭＣＰＴＴサーバを介して、第１の関連付け要求をグループデータベースの配置のために構成されたネットワークデバイスへ送出し、グループデータベースの配置のために構成されたネットワークデバイスは、第１の関連付け情報をＭＣＰＴＴユーザの関連付けサブスクリプション情報に従って生成し、第１の関連付け応答をＵＥへ、ＭＣＰＴＴユーザを管理するように構成されたＭＣＰＴＴサーバを介して送出して、ＭＣＰＴＴユーザがＭ個のＭＣＰＴＴグループと成功裏に関連付けられていることを通知する。このようにしてＭＣＰＴＴユーザは、ＭＣＰＴＴユーザが関心を持つＭ個のＭＣＰＴＴグループと関連付けられる。
【０１７２】
図８は、本発明による、ユーザをグループと関連付ける方法の実施例８の流れ図である。図８に示されるように、この実施例は、本発明の方法の実施例１及び実施例３に基づいている。第１の通信デバイスは、グループデータベースの配置のために構成されたネットワークデバイスであり、第２の通信デバイスが、ＵＥである。この実施例では、グループデータベースの配置のために構成されたネットワークデバイスは、受信した第１の関連付け要求に対する権限付与検査を行い、すなわち、ＭＣＰＴＴユーザの関連付けサブスクリプション情報に従って、第１の関連付け要求中のどのＭＣＰＴＴグループとＭＣＰＴＴユーザが関連付けられることができるかを決定する。
【０１７３】
この実施例では、ＵＥと、グループデータベースの配置のために構成されたサーバネットワークデバイスとによって送信される第１の関連付け要求及び第１の関連付け応答は、Ｎ個のＭＣＰＴＴグループを管理するように構成されたＭＣＰＴＴサーバを通過する。この実施例の方法は下記を含み得る。すなわち、
Ｓ８０１：ＵＥは第１の関連付け要求を、Ｎ個のＭＣＰＴＴグループを管理するように構成されたＭＣＰＴＴサーバへ送出する。
【０１７４】
この実施例におけるＳ８０１の具体的な実施過程に関しては、本発明の方法の実施例５のＳ５０１についての関連説明を参照することができ、詳細はここでは再度説明されない。
【０１７５】
Ｓ８０２：Ｎ個のＭＣＰＴＴグループを管理するように構成されたＭＣＰＴＴサーバは、第１の関連付け要求をグループデータベースの配置のために構成されたネットワークデバイスへ送出する。
【０１７６】
この実施例では、Ｎ個のＭＣＰＴＴグループを管理するように構成されたＭＣＰＴＴサーバが、ＵＥによって送出された第１の関連付け要求を受信した後に、Ｎ個のＭＣＰＴＴグループを管理するように構成されたＭＣＰＴＴサーバは、第１の関連付け要求をグループデータベースの配置のために構成されたネットワークデバイスへ送出する。
【０１７７】
Ｓ８０３：グループデータベースの配置のために構成されたネットワークデバイスは、第１の関連付け情報をＭＣＰＴＴユーザの関連付けサブスクリプション情報に従って生成する。
【０１７８】
Ｓ８０４：グループデータベースの配置のために構成されたネットワークデバイスは、第１の関連付け応答を、Ｎ個のＭＣＰＴＴグループを管理するように構成されたＭＣＰＴＴサーバへ送出する。
【０１７９】
Ｓ８０５：Ｎ個のＭＣＰＴＴグループを管理するように構成されたＭＣＰＴＴサーバは、第１の関連付け応答をＵＥへ送出する。
【０１８０】
この実施例におけるＳ８０３からＳ８０５の具体的な実施過程に関しては、本発明の方法の実施例７のＳ７０３からＳ７０５についての関連説明を参照することができ、詳細はここでは再度説明されない。
【０１８１】
任意選択で、Ｓ８０３が実行された後に、すなわち、グループデータベースの配置のために構成されたネットワークデバイスが第１の関連付け情報を生成した後に、第１の関連付け情報は更に保存される必要がある。これは、下記の任意選択の実現解決策を使用して実施され得る。
【０１８２】
第１の任意選択の実現解決策では、Ｓ８０３が実行された後にＳ８０６が実行される。
【０１８３】
Ｓ８０６：グループデータベースの配置のために構成されたネットワークデバイスは、第１の関連付け情報を保存する。
【０１８４】
この実施例におけるＳ８０６の具体的な実施過程に関しては、本発明の方法の実施例７のＳ７０６についての関連説明を参照することができ、詳細はここでは再度説明されない。
【０１８５】
第２の任意選択の実現解決策では、Ｓ８０３が実行された後にＳ８０７及びＳ８０８が実行される。
【０１８６】
Ｓ８０７：グループデータベースの配置のために構成されたネットワークデバイスは、第１の関連付け情報を、ＭＣＰＴＴユーザを管理するように構成されたＭＣＰＴＴサーバへ送信する。
【０１８７】
Ｓ８０８：ＭＣＰＴＴユーザを管理するように構成されたＭＣＰＴＴサーバは、第１の関連付け情報を保存する。
【０１８８】
この実施例におけるＳ８０７及びＳ８０８の具体的な実施過程に関しては、本発明の方法の実施例７のＳ７０７及びＳ７０８についての関連説明を参照することができ、詳細はここでは再度説明されない。
【０１８９】
第３の任意選択の実現解決策では、Ｓ８０３が実行された後にＳ８０９及びＳ８１０が実行される。
【０１９０】
Ｓ８０９：グループデータベースの配置のために構成されたネットワークデバイスは、第１の関連付け情報を、Ｎ個のＭＣＰＴＴグループを管理するように構成されたＭＣＰＴＴサーバへ送出する。
【０１９１】
Ｓ８１０：Ｎ個のＭＣＰＴＴグループを管理するように構成されたＭＣＰＴＴサーバは、第１の関連付け情報を保存する。
【０１９２】
この実施例では、ＭＣＰＴＴユーザとＭＣＰＴＴグループとの間の関連付け関係が、Ｎ個のＭＣＰＴＴグループを管理するように構成されたＭＣＰＴＴサーバに保存される必要がある場合、グループデータベースの配置のために構成されたネットワークデバイスは、第１の関連付け情報を、Ｎ個のＭＣＰＴＴグループを管理するように構成されたＭＣＰＴＴサーバへ送出し、Ｎ個のＭＣＰＴＴグループを管理するように構成されたＭＣＰＴＴサーバは、受信した第１の関連付け情報を保存する。
【０１９３】
実際の適用例では、ＭＣＰＴＴユーザとＭＣＰＴＴグループとの間の関連付け関係が下記のうちの少なくとも１つに、すなわち、ＭＣＰＴＴユーザを管理するように構成されたＭＣＰＴＴサーバ、グループデータベースの配置のために構成されたネットワークデバイス、又はＭＣＰＴＴグループを管理するように構成されたＭＣＰＴＴサーバに保存され、それに応じて、下記のうちの少なくとも１つが、すなわちＳ８０６、Ｓ８０７とＳ８０８、又はＳ８０９とＳ８１０が実行され得る、ということに留意されたい。
【０１９４】
加えて、ＭＣＰＴＴユーザを管理するように構成されたＭＣＰＴＴサーバと、Ｎ個のＭＣＰＴＴグループを管理するように構成されたＭＣＰＴＴサーバが、同一のＭＣＰＴＴサーバである場合、第２のＭＣＰＴＴのために、グループデータベースの配置のために構成されたネットワークデバイスは上記のＳ８０７及びＳ８０９を実行する必要がない、ということに更に留意されたい。
【０１９５】
任意選択で、Ｓ８０３を実行する前に、グループデータベースの配置のために構成されたネットワークデバイスは、Ｍ個のＭＣＰＴＴグループのグループ情報及びＭＣＰＴＴユーザの識別子に従って、ＭＣＰＴＴユーザがＭ個のＭＣＰＴＴグループのうちの許可されたＭＣＰＴＴグループのユーザであると決定する。
【０１９６】
任意選択で、Ｓ７０２を実行する前に、Ｎ個のＭＣＰＴＴグループを管理するように構成されたＭＣＰＴＴサーバは、Ｍ個のＭＣＰＴＴグループのグループ情報及びＭＣＰＴＴユーザの識別子に従って、ＭＣＰＴＴユーザがＭ個のＭＣＰＴＴグループのうちの許可されたＭＣＰＴＴグループのユーザであると決定する。
【０１９７】
この実施例では、ＵＥは、Ｎ個のＭＣＰＴＴグループを管理するように構成されたＭＣＰＴＴサーバを介して、第１の関連付け要求をグループデータベースの配置のために構成されたネットワークデバイスへ送出し、グループデータベースの配置のために構成されたネットワークデバイスは、第１の関連付け情報をＭＣＰＴＴユーザの関連付けサブスクリプション情報に従って生成し、第１の関連付け応答をＵＥへ、Ｎ個のＭＣＰＴＴグループを管理するように構成されたＭＣＰＴＴサーバを介して送出して、ＭＣＰＴＴユーザがＭ個のＭＣＰＴＴグループと成功裏に関連付けられていることを通知する。このようにしてＭＣＰＴＴユーザは、ＭＣＰＴＴユーザが関心を持つＭ個のＭＣＰＴＴグループと関連付けられる。
【０１９８】
図９は、本発明による、ユーザをグループと関連付ける方法の実施例９の流れ図である。図９に示されるように、この実施例は、本発明の方法の実施例１及び実施例３に基づいている。第１の通信デバイスは、Ｎ個のＭＣＰＴＴグループを管理するように構成されたＭＣＰＴＴサーバであり、第２の通信デバイスは、ＭＣＰＴＴユーザを管理するように構成されたＭＣＰＴＴサーバである。この実施例では、ＭＣＰＴＴグループを管理するように構成されたＭＣＰＴＴサーバは、受信した第１の関連付け要求に対する権限付与検査を行い、すなわち、ＭＣＰＴＴユーザの関連付けサブスクリプション情報に従って、第１の関連付け要求中のどのＭＣＰＴＴグループとＭＣＰＴＴユーザが関連付けられることができるかを決定する。この実施例の方法は下記を含み得る。すなわち、
Ｓ９０１：ＵＥは第３の関連付け要求を、ＭＣＰＴＴユーザを管理するように構成されたＭＣＰＴＴサーバへ送出する。
【０１９９】
この実施例では、ＭＣＰＴＴユーザがＨ個のＭＣＰＴＴグループとの関連付けを開始すると、ＭＣＰＴＴユーザによって使用されるＵＥは、第３の関連付け要求を生成し、第３の関連付け要求を、ＭＣＰＴＴユーザを管理するように構成されたＭＣＰＴＴサーバへ送出する。第３の関連付け要求は、ＭＣＰＴＴユーザの識別子、及びＨ個のＭＣＰＴＴグループの識別子を含み、第３の関連付け要求は、ＭＣＰＴＴユーザをＨ個のＭＣＰＴＴグループと関連付けるように要求するために使用され、Ｈは１以上の整数である。
【０２００】
Ｓ９０２：ＭＣＰＴＴユーザを管理するように構成されたＭＣＰＴＴサーバは、第３の関連付け要求と、Ｔ個の第３のＭＣＰＴＴサーバによって管理されるＭＣＰＴＴグループとに従って、Ｈ個のＭＣＰＴＴグループのうちのＴ個の第３のＭＣＰＴＴサーバによって管理されるＭＣＰＴＴグループを決定する。
【０２０１】
この実施例では、ＭＣＰＴＴユーザを管理するように構成されたＭＣＰＴＴサーバは、Ｎ個のＭＣＰＴＴグループを管理するように構成されたＭＣＰＴＴサーバ、すなわち、Ｔ個の第３のＭＣＰＴＴサーバを決定することができ、それにより、Ｔ個のＭＣＰＴＴサーバのそれぞれの第３のＭＣＰＴＴサーバによって管理される、Ｈ個のＭＣＰＴＴグループのうちのＭＣＰＴＴグループが決定され得る。Ｔ個の第３のＭＣＰＴＴサーバによって管理されるＭＣＰＴＴグループは、Ｈ個のＭＣＰＴＴグループを含み、それぞれの第３のＭＣＰＴＴサーバは、Ｈ個のＭＣＰＴＴグループのうちの少なくとも１つのＭＣＰＴＴグループを管理する。
【０２０２】
Ｓ９０３：ＭＣＰＴＴユーザを管理するように構成されたＭＣＰＴＴサーバは、第１の関連付け要求を、Ｎ個のＭＣＰＴＴグループを管理するように構成されたＭＣＰＴＴサーバへ送出する。
【０２０３】
この実施例では、Ｔ個の第３のＭＣＰＴＴサーバのうちの任意のＭＣＰＴＴサーバが一例として使用されており、この任意のＭＣＰＴＴサーバは、Ｈ個のＭＣＰＴＴグループのうちのＮ個のＭＣＰＴＴグループを管理するように構成されたＭＣＰＴＴサーバである。ＭＣＰＴＴユーザを管理するように構成されたＭＣＰＴＴサーバは、第１の関連付け要求を、Ｎ個のＭＣＰＴＴグループを管理するように構成されたＭＣＰＴＴサーバへ送出する。第１の関連付け要求は、ＭＣＰＴＴユーザの識別子及びＮ個のＭＣＰＴＴグループの識別子を含む。
【０２０４】
Ｓ９０４：Ｎ個のＭＣＰＴＴグループを管理するように構成されたＭＣＰＴＴサーバは、第１の関連付け情報をＭＣＰＴＴユーザの関連付けサブスクリプション情報に従って生成する。
【０２０５】
この実施例におけるＳ９０４の具体的な実施過程に関しては、本発明の方法の実施例５についての関連説明を参照することができ、詳細はここでは再度説明されない。
【０２０６】
Ｓ９０５：Ｎ個のＭＣＰＴＴグループを管理するように構成されたＭＣＰＴＴサーバは、第１の関連付け応答を、ＭＣＰＴＴユーザを管理するように構成されたＭＣＰＴＴサーバへ送出する。
【０２０７】
この実施例では、第１の関連付け情報を生成した後に、Ｎ個のＭＣＰＴＴグループを管理するように構成されたＭＣＰＴＴサーバは、第１の関連付け応答を、ＭＣＰＴＴユーザを管理するように構成されたＭＣＰＴＴサーバへ送出する。第１の関連付け応答は、ＭＣＰＴＴユーザがＮ個のＭＣＰＴＴグループのうちのＭ個のＭＣＰＴＴグループと成功裏に関連付けられていることを示すために使用される。
【０２０８】
Ｎ個のＭＣＰＴＴグループを管理するように構成されたＭＣＰＴＴサーバ（すなわち、Ｔ個の第３のＭＣＰＴＴサーバのうちの１つのＭＣＰＴＴサーバ）だけがＳ９０３からＳ９０５に示されており、他のＭＣＰＴＴサーバは、同様であるが図９には示されていないことに留意されたい。
【０２０９】
Ｓ９０６：Ｎ個のＭＣＰＴＴグループを管理するように構成されたＭＣＰＴＴサーバは、第３の関連付け応答をＵＥへ送出する。
【０２１０】
この実施例では、Ｎ個のＭＣＰＴＴグループを管理するように構成されたＭＣＰＴＴサーバは、Ｔ個の第３のＭＣＰＴＴサーバによって送出された第１の関連付け応答に従って、ＭＣＰＴＴユーザがＨ個のＭＣＰＴＴグループのうちのＬ個のＭＣＰＴＴグループと成功裏に関連付けられていると決定することができ、第３の関連付け応答をＵＥへ送出することができる。第３の関連付け応答は、ＭＣＰＴＴユーザがＨ個のＭＣＰＴＴグループのうちのＬ個のＭＣＰＴＴグループと成功裏に関連付けられていることを示すために使用され、Ｍ≦Ｌ≦Ｈであり、Ｌは整数である。
【０２１１】
任意選択で、Ｓ９０４が実行された後に、すなわち、Ｎ個のＭＣＰＴＴグループを管理するように構成されたＭＣＰＴＴサーバが第１の関連付け情報を生成した後に、第１の関連付け情報は保存される必要がある。これは、下記の任意選択の実現解決策を使用して実施され得る。
【０２１２】
第１の任意選択の実現解決策では、Ｓ９０４が実行された後にＳ９０７が実行される。
【０２１３】
Ｓ９０７：Ｎ個のＭＣＰＴＴグループを管理するように構成されたＭＣＰＴＴサーバは、第１の関連付け情報を保存する。
【０２１４】
この実施例におけるＳ９０７の具体的な実施過程に関しては、本発明の方法の実施例５のＳ５０４についての関連説明を参照することができ、詳細はここでは再度説明されない。
【０２１５】
第２の任意選択の実現解決策では、Ｓ９０４が実行された後にＳ９０８及びＳ９０９が実行される。
【０２１６】
Ｓ９０８：Ｎ個のＭＣＰＴＴグループを管理するように構成されたＭＣＰＴＴサーバは、第１の関連付け情報をグループデータベースの配置のために構成されたネットワークデバイスへ送出する。
【０２１７】
Ｓ９０９：グループデータベースの配置のために構成されたネットワークデバイスは、第１の関連付け情報を保存する。
【０２１８】
この実施例におけるＳ９０８及びＳ９０９の具体的な実施過程に関しては、本発明の方法の実施例５のＳ５０５及びＳ５０６についての関連説明を参照することができ、詳細はここでは再度説明されない。
【０２１９】
第３の任意選択の実現解決策では、Ｓ９０４が実行された後にＳ９１０及びＳ９１１が実行される。
【０２２０】
Ｓ９１０：Ｎ個のＭＣＰＴＴグループを管理するように構成されたＭＣＰＴＴサーバは、第１の関連付け情報を、ＭＣＰＴＴユーザを管理するように構成されたＭＣＰＴＴサーバへ送出する。
【０２２１】
Ｓ９１１：ＭＣＰＴＴユーザを管理するように構成されたＭＣＰＴＴサーバは、第１の関連付け情報を保存する。
【０２２２】
この実施例におけるＳ９１０及びＳ９１１の具体的な実施過程に関しては、本発明の方法の実施例５のＳ５０７及びＳ５０８についての関連説明を参照することができ、詳細はここでは再度説明されない。
【０２２３】
この実施例では、ＵＥは第３の関連付け要求を、ＭＣＰＴＴユーザを管理するように構成されたＭＣＰＴＴサーバへ送出し、次に、対応する第１の関連付け要求をＴ個の第３のＭＣＰＴＴサーバへ送出する。次に、第３のＭＣＰＴＴサーバは、第１の関連付け情報をＭＣＰＴＴユーザの関連付けサブスクリプション情報に従って生成し、また第１の関連付け応答を、ＭＣＰＴＴユーザを管理するように構成されたＭＣＰＴＴサーバへ送出する。ＭＣＰＴＴユーザを管理するように構成されたＭＣＰＴＴサーバは、第３の関連付け応答をＵＥへ、受信した第１の関連付け応答に従って送出して、ＭＣＰＴＴユーザがＬ個のＭＣＰＴＴグループと成功裏に関連付けられていることを通知する。このようにしてＭＣＰＴＴユーザは、ＭＣＰＴＴユーザが関心を持つＬ個のＭＣＰＴＴグループと関連付けられる。
【０２２４】
図１０は、本発明による、ユーザをグループと関連付ける方法の実施例１０の流れ図である。図１０に示されるように、この実施例は、本発明の方法の実施例２及び実施例３に基づいている。第１の通信デバイスは、グループデータベースの配置のために構成されたネットワークデバイスであり、第２の通信デバイスはＵＥであり、第３の通信デバイスは第１のＭＣＰＴＴサーバである。第１のＭＣＰＴＴサーバは、ＭＣＰＴＴユーザを管理するように構成されたＭＣＰＴＴサーバであるか、又はＮ個のＭＣＰＴＴグループを管理するように構成されたＭＣＰＴＴサーバである。
【０２２５】
この実施例では、グループデータベースの配置のために構成されたネットワークデバイスは、第１のＭＣＰＴＴサーバを介して、ＵＥによって送出された第１の関連付け要求を受信する。この実施例の方法は下記を含み得る。すなわち、
Ｓ１００１：ＵＥは、第１の関連付け要求を第１のＭＣＰＴＴサーバへ送出する。
【０２２６】
Ｓ１００２：第１のＭＣＰＴＴサーバは、第１の関連付け要求をグループデータベースの配置のために構成されたネットワークデバイスへ送出する。
【０２２７】
この実施例におけるＳ１００１及びＳ１００２の具体的な実施過程に関しては、本発明の方法の実施例７又は実施例８についての関連説明を参照することができ、詳細はここでは再度説明されない。
【０２２８】
Ｓ１００３：グループデータベースの配置のために構成されたネットワークデバイスは、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定する。
【０２２９】
この実施例では、グループデータベースの配置のために構成されたネットワークデバイスは、ＭＣＰＴＴユーザの関連付けサブスクリプション情報を取得し、ＭＣＰＴＴユーザの関連付けサブスクリプション情報は、ＭＣＰＴＴユーザが関連付けられることができるＭＣＰＴＴグループを示すために使用され、ＭＣＰＴＴユーザの関連付けサブスクリプション情報に従って、ＭＣＰＴＴユーザがＮ個のＭＣＰＴＴグループのうちのＭ個のＭＣＰＴＴグループと関連付けられることができると決定することができ、それによりＭＣＰＴＴユーザをＮ個のＭＣＰＴＴグループのうちのＭ個のＭＣＰＴＴグループと関連付けることを決定することができ、ここで１≦Ｍ≦Ｎであり、Ｍは整数である。
【０２３０】
任意選択で、Ｓ１００３を実行する前に、グループデータベースの配置のために構成されたネットワークデバイスは更に、ＭＣＰＴＴユーザのサブスクリプションデータをＭＣＰＴＴユーザの識別子に従って取得し、ＭＣＰＴＴユーザの関連付けサブスクリプション情報をＭＣＰＴＴユーザのサブスクリプションデータに従って取得し、又は、
Ｎ個のＭＣＰＴＴグループのグループ情報をＮ個のＭＣＰＴＴグループの識別子に従って取得し、またＭＣＰＴＴユーザの関連付けサブスクリプション情報をＮ個のＭＣＰＴＴグループのグループ情報及びＭＣＰＴＴユーザの識別子に従って取得する。
【０２３１】
任意選択で、Ｓ１００３を実行する前に、グループデータベースの配置のために構成されたネットワークデバイスは更に、Ｍ個のＭＣＰＴＴグループとＭＣＰＴＴユーザの識別子とに従って、ＭＣＰＴＴユーザがＭ個のＭＣＰＴＴグループのうちの許可されたＭＣＰＴＴグループのユーザであると決定する。
【０２３２】
Ｓ１００４：グループデータベースの配置のために構成されたネットワークデバイスは、第２の関連付け応答を第１のＭＣＰＴＴサーバへ送出する。
【０２３３】
この実施例では、グループデータベースの配置のために構成されたネットワークデバイスがＭＣＰＴＴユーザを、Ｎ個のＭＣＰＴＴグループのうちのＭ個のＭＣＰＴＴグループと関連付けることを決定した後に、グループデータベースの配置のために構成されたネットワークデバイスは、第２の関連付け応答を第１のＭＣＰＴＴサーバへ送出する。第２の関連付け応答は、ＭＣＰＴＴユーザをＭ個のＭＣＰＴＴグループと関連付けることを指示するために使用される。任意選択で、第２の関連付け応答は、ＭＣＰＴＴユーザの識別子及びＭ個のＭＣＰＴＴグループの識別子を含む。
【０２３４】
Ｓ１００５：第１のＭＣＰＴＴサーバは、第２の関連付け応答に従って、ＭＣＰＴＴユーザをＭ個のＭＣＰＴＴグループと関連付ける。
【０２３５】
この実施例では、第１のＭＣＰＴＴサーバによって、第２の関連付け応答に従って、ＭＣＰＴＴユーザをＭ個のＭＣＰＴＴグループと関連付ける実行可能な実施方式は、第１のＭＣＰＴＴサーバによって、第１の関連付け情報を第２の関連付け応答に従って生成することである。第１の関連付け情報は、ＭＣＰＴＴユーザとＭ個のＭＣＰＴＴグループとの間の関連付け関係を示すために使用される。
【０２３６】
Ｓ１００６：第１のＭＣＰＴＴサーバは、第１の関連付け応答をＵＥへ送出する。
【０２３７】
この実施例では、第１のＭＣＰＴＴサーバは、第１の関連付け応答をＵＥへ第２の関連付け応答に従って送出する。第１の関連付け応答は、ＭＣＰＴＴユーザがＭ個のＭＣＰＴＴグループと成功裏に関連付けられていることを示すために使用される。それに応じて、第１の関連付け応答を受信した後に、ＵＥは、ＭＣＰＴＴユーザとＭ個のＭＣＰＴＴグループとの間の関連付けを完了する。任意選択で、第１の関連付け応答は第２の関連付け応答と同じである。
【０２３８】
この実施例では、ＵＥは、第１のＭＣＰＴＴサーバを介して、第１の関連付け要求をグループデータベースの配置のために構成されたネットワークデバイスへ送出し、次に、グループデータベースの配置のために構成されたネットワークデバイスは、ＭＣＰＴＴユーザの関連付けサブスクリプション情報に従って、ＭＣＰＴＴユーザをＭ個のＭＣＰＴＴグループと関連付けることを決定し、第２の関連付け応答を第１のＭＣＰＴＴサーバへ送出し、それにより、第１のＭＣＰＴＴサーバは、第２の関連付け応答に従って、ＭＣＰＴＴユーザをＭ個のＭＣＰＴＴグループと関連付け、第１の関連付け応答をＵＥへ送出して、ＭＣＰＴＴユーザがＭ個のＭＣＰＴＴグループと成功裏に関連付けられていることを通知する。このようにしてＭＣＰＴＴユーザは、ＭＣＰＴＴユーザが関心を持つＭ個のＭＣＰＴＴグループと関連付けられる。
【０２３９】
図１１は、本発明による、ユーザをグループと関連付ける方法の実施例１１の流れ図である。図１１に示されるように、この実施例は、本発明の方法の実施例２及び実施例３に基づいている。第１の通信デバイスは、グループデータベースの配置のために構成されたネットワークデバイスであり、第２の通信デバイスは、ＭＣＰＴＴユーザを管理するように構成されたＭＣＰＴＴサーバであり、第３の通信デバイスは、Ｎ個のＭＣＰＴＴグループを管理するように構成されたＭＣＰＴＴサーバである。この実施例の方法は下記を含み得る。すなわち、
Ｓ１１０１：ＵＥは第３の関連付け要求を、ＭＣＰＴＴユーザを管理するように構成されたＭＣＰＴＴサーバへ送出する。
【０２４０】
Ｓ１１０２：ＭＣＰＴＴユーザを管理するように構成されたＭＣＰＴＴサーバは、第３の関連付け要求と、Ｔ個の第３のＭＣＰＴＴサーバによって管理されるＭＣＰＴＴグループとに従って、Ｈ個のＭＣＰＴＴグループのうちのＴ個の第３のＭＣＰＴＴサーバによって管理されるＭＣＰＴＴグループを決定する。
【０２４１】
Ｓ１１０３：ＭＣＰＴＴユーザを管理するように構成されたＭＣＰＴＴサーバは、第１の関連付け要求を、Ｎ個のＭＣＰＴＴグループを管理するように構成されたＭＣＰＴＴサーバへ送出する。
【０２４２】
この実施例におけるＳ１１０１からＳ１１０３の具体的な実施過程に関しては、本発明の方法の実施例９についての関連説明を参照することができ、詳細はここでは再度説明されない。
【０２４３】
Ｓ１１０４：Ｎ個のＭＣＰＴＴグループを管理するように構成されたＭＣＰＴＴサーバは、第１の関連付け要求をグループデータベースの配置のために構成されたネットワークデバイスへ送出する。
【０２４４】
この実施例では、対応する第１の関連付け要求を受信した後に、Ｔ個の第３のＭＣＰＴＴサーバのうちの任意のＭＣＰＴＴサーバが、第１の関連付け要求をグループデータベースの配置のために構成されたネットワークデバイスへ送出する。Ｎ個のＭＣＰＴＴグループを管理するように構成されたＭＣＰＴＴサーバ（すなわち、Ｔ個の第３のＭＣＰＴＴサーバのうちの１つのＭＣＰＴＴサーバ）だけが図１１に示されており、他の第３のＭＣＰＴＴサーバは、同様であるが図１１には示されていない。
【０２４５】
Ｓ１１０５：グループデータベースの配置のために構成されたネットワークデバイスは、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定する。
【０２４６】
Ｓ１１０６：グループデータベースの配置のために構成されたネットワークデバイスは、第２の関連付け応答を、Ｎ個のＭＣＰＴＴグループを管理するように構成されたＭＣＰＴＴサーバへ送出する。
【０２４７】
この実施例におけるＳ１００５及びＳ１００６の具体的な実施過程に関しては、本発明の方法の実施例１０のＳ１００３及びＳ１００４についての関連説明を参照することができ、詳細はここでは再度説明されない。
【０２４８】
Ｓ１１０６が実行された後に、第１の実行可能な実施方式で、Ｎ個のＭＣＰＴＴグループを管理するように構成されたＭＣＰＴＴサーバは、ＭＣＰＴＴユーザをＭ個のＭＣＰＴＴグループと関連付ける。すなわち、Ｓ１１０７からＳ１１０８、及びＳ１１１０が実行される。
【０２４９】
Ｓ１１０６が実行された後に、第２の実行可能な実施方式で、ＭＣＰＴＴユーザを管理するように構成されたＭＣＰＴＴサーバは、ＭＣＰＴＴユーザをＭ個のＭＣＰＴＴグループと関連付ける。すなわち、Ｓ１１０８からＳ１１１０が実行される。
【０２５０】
Ｓ１１０７：Ｎ個のＭＣＰＴＴグループを管理するように構成されたＭＣＰＴＴサーバは、第２の関連付け応答に従って、ＭＣＰＴＴユーザをＭ個のＭＣＰＴＴグループと関連付ける。
【０２５１】
この実施例におけるＳ１００７の具体的な実施過程に関しては、本発明の方法の実施例１０のＳ１００５についての関連説明を参照することができ、詳細はここでは再度説明されない。
【０２５２】
Ｓ１１０８：Ｎ個のＭＣＰＴＴグループを管理するように構成されたＭＣＰＴＴサーバは、第１の関連付け応答を、ＭＣＰＴＴユーザを管理するように構成されたＭＣＰＴＴサーバへ送出する。
【０２５３】
この実施例では、Ｎ個のＭＣＰＴＴグループを管理するように構成されたＭＣＰＴＴサーバは、第１の関連付け応答を、第２の関連付け応答に従って、ＭＣＰＴＴユーザを管理するように構成されたＭＣＰＴＴサーバへ送出する。第１の関連付け応答は、ＭＣＰＴＴユーザがＭ個のＭＣＰＴＴグループと成功裏に関連付けられていることを示すために使用される。任意選択で、第１の関連付け応答は第２の関連付け応答と同じである。
【０２５４】
Ｓ１１０９：ＭＣＰＴＴユーザを管理するように構成されたＭＰＣＴＴサーバは、第１の関連付け応答に従って、ＭＣＰＴＴユーザをＭ個のＭＣＰＴＴグループと関連付ける。
【０２５５】
この実施例では、Ｎ個のＭＣＰＴＴグループを管理するように構成されたＭＣＰＴＴサーバによって送出された第１の関連付け応答を受信した後に、ＭＣＰＴＴユーザを管理するように構成されたＭＣＰＴＴサーバは更に、第１の関連付け応答に従って、ＭＣＰＴＴユーザをＭ個のＭＣＰＴＴグループと関連付けることができる。実行可能な実施方式は、ＭＣＰＴＴユーザを管理するように構成されたＭＣＰＴＴサーバによって、第１の関連付け情報を生成することである。第１の関連付け情報は、ＭＣＰＴＴユーザとＭ個のＭＣＰＴＴグループとの間の関連付け関係を示すために使用される。
【０２５６】
Ｎ個のＭＣＰＴＴグループを管理するように構成されたＭＣＰＴＴサーバ（すなわち、Ｔ個の第３のＭＣＰＴＴサーバのうちの１つのＭＣＰＴＴサーバ）だけが図１１のＳ１１０９に示されているが、他の第３のＭＣＰＴＴサーバは、同様であるが図１１には示されていない。
【０２５７】
したがって、ＭＣＰＴＴユーザを管理するように構成されたＭＣＰＴＴサーバは、Ｔ個の第３のＭＣＰＴＴサーバによって送出された第１の関連付け応答に従って、ＭＣＰＴＴユーザをＨ個のＭＣＰＴＴグループのうちのＬ個のＭＣＰＴＴグループと関連付けることができる。一方式は、ＭＣＰＴＴユーザとＬ個のＭＣＰＴＴグループとの間の関連付け関係を生成することである。Ｌ個のＭＣＰＴＴグループは、Ｍ個のＭＣＰＴＴグループを含む。
【０２５８】
Ｓ１１１０：ＭＣＰＴＴユーザを管理するように構成されたＭＣＰＴＴサーバは、第３の関連付け応答をＵＥへ送出する。
【０２５９】
この実施例では、ＭＣＰＴＴユーザをＬ個のＭＣＰＴＴグループと関連付けた後に、ＭＣＰＴＴユーザを管理するように構成されたＭＣＰＴＴサーバは、第３の関連付け応答をＵＥへ送出する。第３の関連付け応答は、ＭＣＰＴＴユーザがＬ個のＭＣＰＴＴグループと成功裏に関連付けられていることを示すために使用される。それに応じて、第３の関連付け応答を受信した後に、ＵＥは、ＭＣＰＴＴユーザとＬ個のＭＣＰＴＴグループとの間の関連付けを完了する。
【０２６０】
この実施例では、前述の解決策によって、ＭＣＰＴＴユーザは、ＭＣＰＴＴユーザが関心を持つＭ個のＭＣＰＴＴグループと関連付けられる。
【０２６１】
図１２は、本発明による、ユーザをグループと関連付ける方法の実施例１２の流れ図である。図１２に示されるように、この実施例は、本発明の方法の実施例２及び実施例３に基づいている。第１の通信デバイスは、Ｎ個のＭＣＰＴＴグループを管理するように構成されたＭＣＰＴＴサーバであり、第２の通信デバイスはＵＥであり、第３の通信デバイスは、ＭＣＰＴＴユーザを管理するように構成されたＭＣＰＴＴサーバである。この実施例の方法は下記を含み得る。すなわち、
Ｓ１２０１：ＵＥは第３の関連付け要求を、ＭＣＰＴＴユーザを管理するように構成されたＭＣＰＴＴサーバへ送出する。
【０２６２】
Ｓ１２０２：ＭＣＰＴＴユーザを管理するように構成されたＭＣＰＴＴサーバは、第３の関連付け要求と、Ｔ個の第３のＭＣＰＴＴサーバによって管理されるＭＣＰＴＴグループとに従って、Ｈ個のＭＣＰＴＴグループのうちのＴ個の第３のＭＣＰＴＴサーバによって管理されるＭＣＰＴＴグループを決定する。
【０２６３】
Ｓ１２０３：ＭＣＰＴＴユーザを管理するように構成されたＭＣＰＴＴサーバは、第１の関連付け要求を、Ｎ個のＭＣＰＴＴグループを管理するように構成されたＭＣＰＴＴサーバへ送出する。
【０２６４】
この実施例におけるＳ１２０１からＳ１２０３の具体的な実施過程に関しては、本発明の方法の実施例１１についての関連説明を参照することができ、詳細はここでは再度説明されない。
【０２６５】
Ｓ１２０４：Ｎ個のＭＣＰＴＴグループを管理するように構成されたＭＣＰＴＴサーバは、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定する。
【０２６６】
Ｓ１２０５：Ｎ個のＭＣＰＴＴグループを管理するように構成されたＭＣＰＴＴサーバは、第２の関連付け応答を、ＭＣＰＴＴユーザを管理するように構成されたＭＣＰＴＴサーバへ送出する。
【０２６７】
Ｓ１２０６：ＭＣＰＴＴユーザを管理するように構成されたＭＰＣＴＴサーバは、第２の関連付け応答に従って、ＭＣＰＴＴユーザをＭ個のＭＣＰＴＴグループと関連付ける。
【０２６８】
この実施例におけるＳ１２０４からＳ１２０６の具体的な実施過程に関しては、本発明の方法の実施例１０のＳ１００３からＳ１００５についての関連説明を参照することができ、詳細はここでは再度説明されない。
【０２６９】
Ｎ個のＭＣＰＴＴグループを管理するように構成されたＭＣＰＴＴサーバ（すなわち、Ｔ個の第３のＭＣＰＴＴサーバのうちの１つのＭＣＰＴＴサーバ）だけが図１２に示されているが、他の第３のＭＣＰＴＴサーバは、同様であるが図１２には示されていないことに留意されたい。
【０２７０】
Ｓ１２０７：ＭＣＰＴＴユーザを管理するように構成されたＭＣＰＴＴサーバは、第３の関連付け応答をＵＥへ送出する。
【０２７１】
この実施例におけるＳ１２０７の具体的な実施過程に関しては、本発明の方法の実施例１１のＳ１１１０についての関連説明を参照することができ、詳細はここでは再度説明されない。
【０２７２】
この実施例では、前述の解決策によって、ＭＣＰＴＴユーザは、ＭＣＰＴＴユーザが関心を持つＭ個のＭＣＰＴＴグループと関連付けられる。
【０２７３】
図１３は、本発明による通信デバイスの実施例１の概略構成図である。図１３に示されるように、この実施例における通信デバイスは、第１の通信デバイスとして使用され、受信ユニット１１、処理ユニット１２、及び送出ユニット１３を含む。受信ユニット１１は、第２の通信デバイスによって送出された第１の関連付け要求を受信するように構成され、第１の関連付け要求は、ＭＣＰＴＴユーザの識別子及びＮ個のＭＣＰＴＴグループの識別子を含み、第１の関連付け要求は、ＭＣＰＴＴユーザをＮ個のＭＣＰＴＴグループと関連付けるように要求するために使用され、Ｎは１以上の整数である。処理ユニット１２は、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けるように構成され、ＭＣＰＴＴユーザの関連付けサブスクリプション情報は、ＭＣＰＴＴユーザが関連付けられることができるＭＣＰＴＴグループを示すために使用される。送出ユニット１３は、第１の関連付け応答を第２の通信デバイスへ送出するように構成され、第１の関連付け応答は、ＭＣＰＴＴユーザがＮ個のＭＣＰＴＴグループのうちのＭ個のＭＣＰＴＴグループと成功裏に関連付けられていることを示すために使用され、１≦Ｍ≦Ｎであり、Ｍは整数である。
【０２７４】
任意選択で、第１の通信デバイスは、グループデータベースの配置のために構成されたネットワークデバイスであり、又は、第１の通信デバイスは、第１のＭＣＰＴＴサーバであるとともに、第１のＭＣＰＴＴサーバがＭＣＰＴＴユーザを管理するように構成されたＭＣＰＴＴサーバであるか若しくはＮ個のＭＣＰＴＴグループを管理するように構成されたＭＣＰＴＴサーバであり、
第２の通信デバイスはＵＥである。
【０２７５】
任意選択で、第１の通信デバイスは、Ｎ個のＭＣＰＴＴグループを管理するように構成されたＭＣＰＴＴサーバであり、第２の通信デバイスは、ＭＣＰＴＴユーザを管理するように構成されたＭＣＰＴＴサーバである。
【０２７６】
任意選択で、第１の通信デバイスが、Ｎ個のＭＣＰＴＴグループを管理するように構成されたＭＣＰＴＴサーバである場合、処理ユニット１２は具体的に、
ＭＣＰＴＴユーザの関連付けサブスクリプション情報に従って、ＭＣＰＴＴユーザをＮ個のＭＣＰＴＴグループのうちのＲ個のＭＣＰＴＴグループと関連付けることを決定するように構成され、ここで１≦Ｎ≦Ｒであり、Ｒが整数である、かつ、
第２の関連付け要求を、ＭＣＰＴＴユーザを管理するように構成されたＭＣＰＴＴサーバへ送出するように構成され、ここで第２の関連付け要求は、ＭＣＰＴＴユーザの識別子及びＲ個のＭＣＰＴＴグループの識別子を含み、それにより、ＭＣＰＴＴユーザを管理するように構成されたＭＣＰＴＴサーバは、第２の関連付け要求及びＭＣＰＴＴユーザの関連付けサブスクリプション情報に従って、ＭＣＰＴＴユーザをＲ個のＭＣＰＴＴグループのうちのＭ個のＭＣＰＴＴグループと関連付けることを決定し、ここで１≦Ｒ≦Ｍである、かつ、
ＭＣＰＴＴユーザを管理するように構成されたＭＣＰＴＴサーバによって送出された第２の関連付け応答を受信するように構成され、ここで第２の関連付け応答は、ＭＣＰＴＴユーザをＲ個のＭＣＰＴＴグループのうちのＭ個のＭＣＰＴＴグループと関連付けることを指示するために使用される、かつ、
第２の関連付け応答に従って、ＭＣＰＴＴユーザをＭ個のＭＣＰＴＴグループと関連付けるように構成される。
【０２７７】
任意選択で、処理ユニット１２は具体的に、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定するように、かつ、ＭＣＰＴＴユーザをＭ個のＭＣＰＴＴグループと関連付けるように構成される。
【０２７８】
任意選択で、処理ユニット１２がＭＣＰＴＴユーザをＮ個のＭＣＰＴＴグループのうちのＭ個のＭＣＰＴＴグループと関連付ける場合、処理ユニット１２は具体的に、第１の関連付け情報を生成するように構成され、第１の関連付け情報は、ＭＣＰＴＴユーザとＭ個のＭＣＰＴＴグループとの間の関連付け関係を示すために使用される。
【０２７９】
任意選択で、処理ユニット１２が第１の関連付け情報を生成した後に、処理ユニット１２は更に、第１の関連付け情報を保存するように構成される。
【０２８０】
任意選択で、第１の通信デバイスが、ＭＣＰＴＴユーザを管理するように構成されたＭＣＰＴＴサーバであるか、又はＮ個のＭＣＰＴＴグループを管理するように構成されたＭＣＰＴＴサーバである場合、送出ユニット１３は更に、処理ユニット１２が第１の関連付け情報を生成した後に、第１の関連付け情報をグループデータベースの配置のために構成されたネットワークデバイスへ送出するように構成され、それにより、グループデータベースの配置のために構成されたネットワークデバイスは、第１の関連付け情報を保存する、或いは、
第１の通信デバイスが、ＭＣＰＴＴユーザを管理するように構成されたＭＣＰＴＴサーバであるか、又はグループデータベースの配置のために構成されたネットワークデバイスである場合、送出ユニット１３は更に、処理ユニット１２が第１の関連付け情報を生成した後に、第２の関連付け情報をＫ個の第２のＭＣＰＴＴサーバへ第１の関連付け情報に従ってそれぞれ送出するように構成され、それにより、それぞれの第２のＭＣＰＴＴサーバが、受信した第２の関連付け情報を保存し、ここで１≦Ｋ≦Ｍであり、Ｋは整数であり、Ｋ個の第２のＭＣＰＴＴサーバによって管理されるＭＣＰＴＴグループはＭ個のＭＣＰＴＴグループを含み、それぞれの第２のＭＣＰＴＴサーバは、Ｍ個のＭＣＰＴＴグループのうちの少なくとも１つのＭＣＰＴＴグループを管理し、第２の関連付け情報の各要素は、ＭＣＰＴＴユーザと、第２の関連付け情報を受信する第２のＭＣＰＴＴサーバによって管理される少なくとも１つのＭＣＰＴＴグループとの間の関連付け関係を示すために使用される、或いは、
第１の通信デバイスが、Ｎ個のＭＣＰＴＴグループを管理するように構成されたＭＣＰＴＴサーバであるか、又はグループデータベースの配置のために構成されたネットワークデバイスである場合、送出ユニット１３は更に、処理ユニット１２が第１の関連付け情報を生成した後に、第１の関連付け情報を、ＭＣＰＴＴユーザを管理するように構成されたＭＣＰＴＴサーバへ送出するように構成され、それにより、ＭＣＰＴＴユーザを管理するように構成されたＭＣＰＴＴサーバは、第１の関連付け情報を保存する。
【０２８１】
任意選択で、処理ユニット１２は更に、処理ユニット１２が、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付ける前に、ＭＣＰＴＴユーザのサブスクリプションデータをＭＣＰＴＴユーザの識別子に従って取得するように、かつ、ＭＣＰＴＴユーザの関連付けサブスクリプション情報をＭＣＰＴＴユーザのサブスクリプションデータに従って取得するように構成される、又は、
Ｎ個のＭＣＰＴＴグループのグループ情報をＮ個のＭＣＰＴＴグループの識別子に従って取得するように、かつ、ＭＣＰＴＴユーザの関連付けサブスクリプション情報をＮ個のＭＣＰＴＴグループのグループ情報及びＭＣＰＴＴユーザの識別子に従って取得するように、構成される。
【０２８２】
任意選択で、処理ユニット１２は更に、処理ユニット１２が、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付ける前に、Ｍ個のＭＣＰＴＴグループのグループ情報及びＭＣＰＴＴユーザの識別子に従って、ＭＣＰＴＴユーザがＭ個のＭＣＰＴＴグループのうちの許可されたＭＣＰＴＴグループのユーザであると決定するように構成される。
【０２８３】
この実施例における通信デバイスは、本発明の方法の実施例１、又は実施例３から実施例９のいずれかの実施例における第１の通信デバイスによって実行される解決策を実行するように構成され得る。これらの実施原理及び技術的効果は類似しており、詳細はここでは再度説明されない。
【０２８４】
図１４は、本発明による通信デバイスの実施例２の概略構成図である。図１４に示されるように、この実施例における通信デバイスは、第１の通信デバイスとして使用され、受信ユニット２１、処理ユニット２２、及び送出ユニット２３を含み得る。受信ユニット２１は、第２の通信デバイスによって送出された第１の関連付け要求を、第３の通信デバイスを介して受信するように構成され、第１の関連付け要求は、ＭＣＰＴＴユーザの識別子及びＮ個のＭＣＰＴＴグループの識別子を含み、第１の関連付け要求は、ＭＣＰＴＴユーザをＮ個のＭＣＰＴＴグループと関連付けるように要求するために使用され、Ｎは１以上の整数である。処理ユニット２２は、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定するように構成され、１≦Ｍ≦Ｎであり、Ｍは整数である。送出ユニット２３は、第２の関連付け応答を第３の通信デバイスへ送出するように構成され、それにより、第３の通信デバイスが、第２の関連付け応答に従って、ＭＣＰＴＴユーザをＭ個のＭＣＰＴＴグループと関連付け、第１の関連付け応答を第２の通信デバイスへ送出する。第１の関連付け応答は、ＭＣＰＴＴユーザがＭ個のＭＣＰＴＴグループと成功裏に関連付けられていることを示すために使用される。
【０２８５】
任意選択で、第２の関連付け応答は、ＭＣＰＴＴユーザの識別子及びＭ個のＭＣＰＴＴグループの識別子を含む。
【０２８６】
任意選択で、第２の通信デバイスはＵＥであり、第１の通信デバイスは、グループデータベースの配置のために構成されたネットワークデバイスであり、第３の通信デバイスは、ＭＣＰＴＴユーザを管理するように構成されたＭＣＰＴＴサーバであるか、又はＮ個のＭＣＰＴＴグループを管理するように構成されたＭＣＰＴＴサーバである、或いは、
第２の通信デバイスはＵＥであり、第１の通信デバイスは、Ｎ個のＭＣＰＴＴグループを管理するように構成されたＭＣＰＴＴサーバであり、第３の通信デバイスは、ＭＣＰＴＴユーザを管理するように構成されたＭＣＰＴＴサーバである、或いは、
第２の通信デバイスは、ＭＣＰＴＴユーザを管理するように構成されたＭＣＰＴＴサーバであり、第１の通信デバイスは、グループデータベースの配置のために構成されたネットワークデバイスであり、第３の通信デバイスは、Ｎ個のＭＣＰＴＴグループを管理するように構成されたＭＣＰＴＴサーバであるか、又はＭＣＰＴＴユーザを管理するように構成されたＭＣＰＴＴサーバである。
【０２８７】
具体的に、図１４に示された実施例に基づいて、第２の通信デバイスと第３通信デバイスが同じデバイスである、すなわちＭＣＰＴＴユーザを管理するように構成されたＭＣＰＴＴサーバである場合、受信ユニット２１は具体的に、第２の通信デバイスによって送出された第１の関連付け要求を受信するように構成され、送出ユニット２３は具体的に、第２の関連付け応答を第２の通信デバイスへ送出するように構成され、それにより、第２の通信デバイスは、第２の関連付け応答に従って、ＭＣＰＴＴユーザをＭ個のＭＣＰＴＴグループと関連付け、第１の関連付け応答を生成する。
【０２８８】
第１の関連付け要求及び第１の関連付け応答などの関連用語については、すべて図２又は図１４に示された実施例の説明を参照することができ、詳細は再度説明されない。
【０２８９】
任意選択で、処理ユニット２２は更に、処理ユニット２２が、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付ける前に、ＭＣＰＴＴユーザのサブスクリプションデータをＭＣＰＴＴユーザの識別子に従って取得するように、かつ、ＭＣＰＴＴユーザの関連付けサブスクリプション情報をＭＣＰＴＴユーザのサブスクリプションデータに従って取得するように構成される、又は、
Ｎ個のＭＣＰＴＴグループのグループ情報をＮ個のＭＣＰＴＴグループの識別子に従って取得するように、かつ、ＭＣＰＴＴユーザの関連付けサブスクリプション情報をＮ個のＭＣＰＴＴグループのグループ情報及びＭＣＰＴＴユーザの識別子に従って取得するように構成される。
【０２９０】
任意選択で、処理ユニット２２は更に、処理ユニット２２が、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定する前に、Ｍ個のＭＣＰＴＴグループとＭＣＰＴＴユーザの識別子とに従って、ＭＣＰＴＴユーザがＭ個のＭＣＰＴＴグループのうちの許可されたＭＣＰＴＴグループのユーザであると決定するように構成される。
【０２９１】
この実施例における通信デバイスは、本発明の方法の実施例２、又は実施例１０から実施例１２のいずれかの実施例における第１の通信デバイスによって実行される解決策を実行するように構成され得る。これらの実施原理及び技術的効果は類似しており、詳細はここでは再度説明されない。
【０２９２】
図１５は、本発明による通信デバイスの実施例３の概略構成図である。図１５に示されるように、この実施例における通信デバイスは、第２の通信デバイスとして使用され、送出ユニット３１、及び受信ユニット３２を含み得る。送出ユニット３１は、第１の関連付け要求を第１の通信デバイスへ送出するように構成され、第１の関連付け要求は、ＭＣＰＴＴユーザの識別子及びＮ個のＭＣＰＴＴグループの識別子を含み、第１の関連付け要求は、ＭＣＰＴＴユーザをＮ個のＭＣＰＴＴグループと関連付けるように要求するために使用され、Ｎは１以上の整数である。受信ユニット３２は、第１の通信デバイスによって送出された第１の関連付け応答を受信するように構成され、第１の関連付け応答は、ＭＣＰＴＴユーザがＮ個のＭＣＰＴＴグループのうちのＭ個のＭＣＰＴＴグループと成功裏に関連付けられていることを示すために使用され、１≦Ｍ≦Ｎであり、Ｍは整数である。
【０２９３】
任意選択で、第１の通信デバイスは、グループデータベースの配置のために構成されたネットワークデバイスであり、又は、第１の通信デバイスは、第１のＭＣＰＴＴサーバであるとともに、第１のＭＣＰＴＴサーバがＭＣＰＴＴユーザのＭＣＰＴＴサーバであるか若しくはＮ個のＭＣＰＴＴグループを管理するＭＣＰＴＴサーバであり、
第２の通信デバイスはＵＥである。
【０２９４】
任意選択で、第１の通信デバイスが、Ｎ個のＭＣＰＴＴグループを管理するように構成されたＭＣＰＴＴサーバであるか、又はグループデータベースの配置のために構成されたネットワークデバイスである場合、送出ユニット３１は具体的に、第１の関連付け要求を第１の通信デバイスへ、ＭＣＰＴＴユーザのＭＣＰＴＴサーバを介して送出するように構成され、
受信ユニット３２は具体的に、ＭＣＰＴＴユーザのＭＣＰＴＴサーバを介して、第１の通信デバイスによって送出された第１の関連付け応答を受信するように構成される。
【０２９５】
任意選択で、第１の通信デバイスは、Ｎ個のＭＣＰＴＴグループを管理するように構成されたＭＣＰＴＴサーバであり、第２の通信デバイスは、ＭＣＰＴＴユーザを管理するように構成されたＭＣＰＴＴサーバである。
【０２９６】
任意選択で、この実施例における通信デバイスは更に処理ユニット３３を含み、受信ユニット３２は更に、送出ユニット３１が第１の関連付け要求を第１の通信デバイスへ送出する前に、ＵＥによって送出された第３の関連付け要求を受信するように構成され、第３の関連付け要求は、ＭＣＰＴＴユーザの識別子及びＨ個のＭＣＰＴＴグループの識別子を含み、第３の関連付け要求は、ＭＣＰＴＴユーザをＨ個のＭＣＰＴＴグループと関連付けるように要求するために使用され、Ｈは１以上の整数であり、Ｈ個のＭＣＰＴＴグループはＮ個のＭＣＰＴＴグループを含み、
処理ユニット３３は、第３の関連付け要求と、Ｔ個の第３のＭＣＰＴＴサーバによって管理されるＭＣＰＴＴグループとに従って、Ｈ個のＭＣＰＴＴグループのＴ個の第３のＭＣＰＴＴサーバによって管理されるＭＣＰＴＴグループを決定するように構成され、Ｔ個の第３のＭＣＰＴＴサーバによって管理されるＭＣＰＴＴグループはＨ個のＭＣＰＴＴグループを含み、それぞれの第３のＭＣＰＴＴサーバは、Ｈ個のＭＣＰＴＴグループのうちの少なくとも１つのＭＣＰＴＴグループを管理し、第１の通信デバイスは、Ｔ個の第３のＭＣＰＴＴサーバのうちのいずれかのＭＣＰＴＴサーバであり、
送出ユニット３１は更に、受信ユニット３２が第１の通信デバイスによって送出された第１の関連付け応答を受信した後に、第３の関連付け応答をＵＥへ第１の関連付け応答に従って送出するように構成され、第３の関連付け応答は、ＭＣＰＴＴユーザがＨ個のＭＣＰＴＴグループのうちのＬ個のＭＣＰＴＴグループと成功裏に関連付けられていることを示すために使用され、Ｍ≦Ｌ≦Ｈであり、Ｌは整数である。
【０２９７】
この実施例における通信デバイスは、本発明の方法の前述の実施例における第２の通信デバイスによって実行される解決策を実行するように構成され得る。これらの実施原理及び技術的効果は類似しており、詳細はここでは再度説明されない。
【０２９８】
図１６は、本発明による通信デバイスの実施例４の概略構成図である。図１６に示されるように、この実施例における通信デバイスは、第１の通信デバイスとして使用され、プロセッサ４１、受信機４２、及び送信機４３を含み得る。プロセッサ４１は、受信機４２を介して、第２の通信デバイスによって送出された第１の関連付け要求を受信するように構成され、ここで第１の関連付け要求は、ＭＣＰＴＴユーザの識別子及びＮ個のＭＣＰＴＴグループの識別子を含み、第１の関連付け要求は、ＭＣＰＴＴユーザをＮ個のＭＣＰＴＴグループと関連付けるように要求するために使用され、Ｎは１以上の整数である。プロセッサ４１はまた、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けるように構成され、ここでＭＣＰＴＴユーザの関連付けサブスクリプション情報は、ユーザが関連付けられることができるＭＣＰＴＴグループを示すために使用される。プロセッサ４１はまた、送信機４３を介して、第１の関連付け応答を第２の通信デバイスへ送出するように構成され、ここで第１の関連付け応答は、ＭＣＰＴＴユーザがＮ個のＭＣＰＴＴグループのうちのＭ個のＭＣＰＴＴグループと成功裏に関連付けられていることを示すために使用され、１≦Ｍ≦Ｎであり、Ｍは整数である。
【０２９９】
任意選択で、第１の通信デバイスは、グループデータベースの配置のために構成されたネットワークデバイスであり、又は、第１の通信デバイスは、第１のＭＣＰＴＴサーバであるとともに、第１のＭＣＰＴＴサーバがＭＣＰＴＴユーザを管理するように構成されたＭＣＰＴＴサーバであるか若しくはＮ個のＭＣＰＴＴグループを管理するように構成されたＭＣＰＴＴサーバであり、
第２の通信デバイスはＵＥである。
【０３００】
任意選択で、第１の通信デバイスは、Ｎ個のＭＣＰＴＴグループを管理するように構成されたＭＣＰＴＴサーバであり、第２の通信デバイスは、ＭＣＰＴＴユーザを管理するように構成されたＭＣＰＴＴサーバである。
【０３０１】
任意選択で、第１の通信デバイスが、Ｎ個のＭＣＰＴＴグループを管理するように構成されたＭＣＰＴＴサーバである場合に、プロセッサ４１が、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付ける場合、プロセッサ４１は具体的に、
ＭＣＰＴＴユーザの関連付けサブスクリプション情報に従って、ＭＣＰＴＴユーザをＮ個のＭＣＰＴＴグループのうちのＲ個のＭＣＰＴＴグループと関連付けることを決定するように構成され、ここで１≦Ｒ≦Ｎであり、Ｒは整数である、かつ、
送信機４３を介して、第２の関連付け要求を、ＭＣＰＴＴユーザを管理するように構成されたＭＣＰＴＴサーバへ送出するように構成され、ここで第２の関連付け要求が、ＭＣＰＴＴユーザの識別子及びＲ個のＭＣＰＴＴグループの識別子を含み、それにより、ＭＣＰＴＴユーザを管理するように構成されたＭＣＰＴＴサーバが、第２の関連付け要求及びＭＣＰＴＴユーザの関連付けサブスクリプション情報に従って、ＭＣＰＴＴユーザをＲ個のＭＣＰＴＴグループのうちのＭ個のＭＣＰＴＴグループと関連付けることを決定し、ここで１≦Ｍ≦Ｒである、かつ、
受信機４２を介して、ＭＣＰＴＴユーザを管理するように構成されたＭＣＰＴＴサーバによって送出された第２の関連付け応答を受信するように構成され、ここで第２の関連付け応答が、ＭＣＰＴＴユーザをＲ個のＭＣＰＴＴグループのうちのＭ個のＭＣＰＴＴグループと関連付けることを指示するために使用される、かつ、
第２の関連付け応答に従って、ＭＣＰＴＴユーザをＭ個のＭＣＰＴＴグループと関連付けるように構成される。
【０３０２】
任意選択で、プロセッサ４１が、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付ける場合、プロセッサ４１は具体的に、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定するように、かつ、ＭＣＰＴＴユーザをＭ個のＭＣＰＴＴグループと関連付けるように構成される。
【０３０３】
任意選択で、プロセッサ４１がＭＣＰＴＴユーザをＮ個のＭＣＰＴＴグループのうちのＭ個のＭＣＰＴＴグループと関連付ける場合、プロセッサ４１は具体的に、第１の関連付け情報を生成するように構成され、第１の関連付け情報は、ＭＣＰＴＴユーザとＭ個のＭＣＰＴＴグループとの間の関連付け関係を示すために使用される。
【０３０４】
任意選択で、プロセッサ４１が第１の関連付け情報を生成した後に、プロセッサ４１は更に、第１の関連付け情報を保存するように構成される。
【０３０５】
任意選択で、第１の通信デバイスが、ＭＣＰＴＴユーザを管理するように構成されたＭＣＰＴＴサーバであるか、又はＮ個のＭＣＰＴＴグループを管理するように構成されたＭＣＰＴＴサーバである場合、プロセッサ４１は更に、
プロセッサ４１が第１の関連付け情報を生成した後に、送信機４３を介して、第１の関連付け情報をグループデータベースの配置のために構成されたネットワークデバイスへ送出するように構成され、それにより、グループデータベースの配置のために構成されたネットワークデバイスは、第１の関連付け情報を保存する、或いは、
第１の通信デバイスが、ＭＣＰＴＴユーザを管理するように構成されたＭＣＰＴＴサーバであるか、又はグループデータベースの配置のために構成されたネットワークデバイスである場合、プロセッサ４１は更に、プロセッサ４１が第１の関連付け情報を生成した後に、送信機４３を介して、第２の関連付け情報をＫ個の第２のＭＣＰＴＴサーバへ第１の関連付け情報に従ってそれぞれ送出するように構成され、それにより、それぞれの第２のＭＣＰＴＴサーバは、受信した第２の関連付け情報を保存し、ここで１≦Ｋ≦Ｍであり、Ｋは整数であり、Ｋ個の第２のＭＣＰＴＴサーバによって管理されるＭＣＰＴＴグループはＭ個のＭＣＰＴＴグループを含み、それぞれの第２のＭＣＰＴＴサーバは、Ｍ個のＭＣＰＴＴグループのうちの少なくとも１つのＭＣＰＴＴグループを管理し、第２の関連付け情報の各要素は、ＭＣＰＴＴユーザと、第２の関連付け情報を受信する第２のＭＣＰＴＴサーバによって管理される少なくとも１つのＭＣＰＴＴグループとの間の関連付け関係を示すために使用される、或いは、
第１の通信デバイスが、Ｎ個のＭＣＰＴＴグループを管理するように構成されたＭＣＰＴＴサーバであるか、又はグループデータベースの配置のために構成されたネットワークデバイスである場合、プロセッサ４１は更に、プロセッサ４１が第１の関連付け情報を生成した後に、送信機４３を介して、第１の関連付け情報を、ＭＣＰＴＴユーザを管理するように構成されたＭＣＰＴＴサーバへ送出するように構成され、それにより、ＭＣＰＴＴユーザを管理するように構成されたＭＣＰＴＴサーバは、第１の関連付け情報を保存する。
【０３０６】
任意選択で、プロセッサ４１は更に、プロセッサ４１が、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付ける前に、
ＭＣＰＴＴユーザのサブスクリプションデータをＭＣＰＴＴユーザの識別子に従って取得するように、かつ、ＭＣＰＴＴユーザの関連付けサブスクリプション情報をＭＣＰＴＴユーザのサブスクリプションデータに従って取得するように構成される、又は、
Ｎ個のＭＣＰＴＴグループのグループ情報をＮ個のＭＣＰＴＴグループの識別子に従って取得するように、かつ、ＭＣＰＴＴユーザの関連付けサブスクリプション情報をＮ個のＭＣＰＴＴグループのグループ情報及びＭＣＰＴＴユーザの識別子に従って取得するように構成される。
【０３０７】
任意選択で、プロセッサ４１は更に、プロセッサ４１が、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付ける前に、Ｍ個のＭＣＰＴＴグループのグループ情報及びＭＣＰＴＴユーザの識別子に従って、ＭＣＰＴＴユーザがＭ個のＭＣＰＴＴグループのうちの許可されたＭＣＰＴＴグループのユーザであると決定するように構成される。
【０３０８】
この実施例における通信デバイスは、本発明の方法の実施例１、又は実施例３から実施例９のいずれかの実施例における第１の通信デバイスによって実行される解決策を実行するように構成され得る。これらの実施原理及び技術的効果は類似しており、詳細はここでは再度説明されない。
【０３０９】
図１７は、本発明による通信デバイスの実施例５の概略構成図である。図１７に示されるように、この実施例における通信デバイスは、第１の通信デバイスとして使用され、プロセッサ５１、受信機５２、及び送信機５３を含み得る。プロセッサ５１は、受信機５２を介して、第２の通信デバイスによって送出された第１の関連付け要求を受信するように構成され、ここで第１の関連付け要求は、ＭＣＰＴＴユーザの識別子及びＮ個のＭＣＰＴＴグループの識別子を含み、第１の関連付け要求は、ＭＣＰＴＴユーザをＮ個のＭＣＰＴＴグループと関連付けるように要求するために使用され、Ｎは１以上の整数である。プロセッサ５１はまた、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定するように構成され、ここで１≦Ｍ≦Ｎであり、Ｍは整数である。プロセッサ５１はまた、送信機５３を介して、第２の関連付け応答を第３の通信デバイスへ送出するように構成され、それにより、第３の通信デバイスが、第２の関連付け応答に従って、ＭＣＰＴＴユーザをＭ個のＭＣＰＴＴグループと関連付け、第１の関連付け応答を第２の通信デバイスへ送出し、ここで第１の関連付け応答は、ＭＣＰＴＴユーザがＭ個のＭＣＰＴＴグループと成功裏に関連付けられていることを示すために使用される。
【０３１０】
任意選択で、第２の関連付け応答は、ＭＣＰＴＴユーザの識別子及びＭ個のＭＣＰＴＴグループの識別子を含む。
【０３１１】
任意選択で、第２の通信デバイスはＵＥであり、第１の通信デバイスは、グループデータベースの配置のために構成されたネットワークデバイスであり、第３の通信デバイスは、ＭＣＰＴＴユーザを管理するように構成されたＭＣＰＴＴサーバであるか、又はＮ個のＭＣＰＴＴグループを管理するように構成されたＭＣＰＴＴサーバである、或いは、
第２の通信デバイスはＵＥであり、第１の通信デバイスは、Ｎ個のＭＣＰＴＴグループを管理するように構成されたＭＣＰＴＴサーバであり、第３の通信デバイスは、ＭＣＰＴＴユーザを管理するように構成されたＭＣＰＴＴサーバである、或いは、
第２の通信デバイスは、ＭＣＰＴＴユーザを管理するように構成されたＭＣＰＴＴサーバであり、第１の通信デバイスは、グループデータベースの配置のために構成されたネットワークデバイスであり、第３の通信デバイスは、Ｎ個のＭＣＰＴＴグループを管理するように構成されたＭＣＰＴＴサーバであるか、又はＭＣＰＴＴユーザを管理するように構成されたＭＣＰＴＴサーバである。
【０３１２】
任意選択で、プロセッサ５１は更に、プロセッサ５１が、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付ける前に、
ＭＣＰＴＴユーザのサブスクリプションデータをＭＣＰＴＴユーザの識別子に従って取得するように、かつ、ＭＣＰＴＴユーザの関連付けサブスクリプション情報をＭＣＰＴＴユーザのサブスクリプションデータに従って取得するように構成される、又は、
Ｎ個のＭＣＰＴＴグループのグループ情報をＮ個のＭＣＰＴＴグループの識別子に従って取得するように、かつ、ＭＣＰＴＴユーザの関連付けサブスクリプション情報をＮ個のＭＣＰＴＴグループのグループ情報及びＭＣＰＴＴユーザの識別子に従って取得するように構成される。
【０３１３】
任意選択で、プロセッサ５１は更に、プロセッサ５１が、ＭＣＰＴＴユーザの関連付けサブスクリプション情報に従って、ＭＣＰＴＴユーザをＮ個のＭＣＰＴＴグループのうちのＭ個のＭＣＰＴＴグループと関連付けることを決定する前に、Ｍ個のＭＣＰＴＴグループとＭＣＰＴＴユーザの識別子とに従って、ＭＣＰＴＴユーザがＭ個のＭＣＰＴＴグループのうちの許可されたＭＣＰＴＴグループのユーザであると決定するように構成される。
【０３１４】
この実施例における通信デバイスは、本発明の方法の実施例２、又は実施例１０から実施例１２のいずれかの実施例における第１の通信デバイスによって実行される解決策を実行するように構成され得る。これらの実施原理及び技術的効果は類似している。それら及び詳細はここでは再度説明されない。
【０３１５】
図１８は、本発明による通信デバイスの実施例６の概略構成図である。図１８に示されるように、この実施例における通信デバイスは、第２の通信デバイスとして使用され、プロセッサ６１、送信機６２、及び受信機６３を含み得る。プロセッサ６１は、
第２の通信デバイスの送信機６２を介して、第１の関連付け要求を第１の通信デバイスへ送出するように構成され、ここで第１の関連付け要求は、ＭＣＰＴＴユーザの識別子及びＮ個のＭＣＰＴＴグループの識別子を含み、第１の関連付け要求は、ＭＣＰＴＴユーザをＮ個のＭＣＰＴＴグループと関連付けるように要求するために使用され、Ｎは１以上の整数である、かつ、
受信機６３を介して、第１の通信デバイスによって送出された第１の関連付け応答を受信するように構成され、第１の関連付け応答は、ＭＣＰＴＴユーザがＮ個のＭＣＰＴＴグループのうちのＭ個のＭＣＰＴＴグループと成功裏に関連付けられていることを示すために使用され、１≦Ｍ≦Ｎであり、Ｍは整数である。
【０３１６】
任意選択で、第１の通信デバイスは、グループデータベースの配置のために構成されたネットワークデバイスであり、又は、第１の通信デバイスは、第１のＭＣＰＴＴサーバであるとともに、第１のＭＣＰＴＴサーバがＭＣＰＴＴユーザのＭＣＰＴＴサーバであるか若しくはＮ個のＭＣＰＴＴグループを管理するＭＣＰＴＴサーバであり、
第２の通信デバイスはＵＥである。
【０３１７】
任意選択で、第１の通信デバイスが、Ｎ個のＭＣＰＴＴグループを管理するように構成されたＭＣＰＴＴサーバであるか、又はグループデータベースの配置のために構成されたネットワークデバイスである場合に、プロセッサが、送信機６２を介して、第１の関連付け要求を第１の通信デバイスへ送出する場合、プロセッサ６１は具体的に、送信機６２を介して、第１の関連付け要求を第１の通信デバイスへ、ＭＣＰＴＴユーザのＭＣＰＴＴサーバを介して送出するように構成される。
【０３１８】
プロセッサ６１が、受信機６３を介して、第１の通信デバイスによって送出された第１の関連付け応答を受信する場合、プロセッサ６１は具体的に、受信機６３を介して、ＭＣＰＴＴユーザのＭＣＰＴＴサーバを介して、第１の通信デバイスによって送出された第１の関連付け応答を受信するように構成される。
【０３１９】
任意選択で、第１の通信デバイスは、Ｎ個のＭＣＰＴＴグループを管理するように構成されたＭＣＰＴＴサーバであり、第２の通信デバイスは、ＭＣＰＴＴユーザを管理するように構成されたＭＣＰＴＴサーバである。
【０３２０】
任意選択で、プロセッサ６１は更に、
プロセッサ６１が、送信機６２を介して、第１の関連付け要求を第１の通信デバイスへ送出する前に、受信機６３を介して、ＵＥによって送出された第３の関連付け要求を受信するように構成され、ここで第３の関連付け要求は、ＭＣＰＴＴユーザの識別子及びＨ個のＭＣＰＴＴグループの識別子を含み、第３の関連付け要求は、ＭＣＰＴＴユーザをＨ個のＭＣＰＴＴグループと関連付けるように要求するために使用され、Ｈは１以上の整数であり、Ｈ個のＭＣＰＴＴグループは、Ｎ個のＭＣＰＴＴグループを含む、かつ、
第３の関連付け要求と、Ｔ個の第３のＭＣＰＴＴサーバによって管理されるＭＣＰＴＴグループとに従って、Ｈ個のＭＣＰＴＴグループのＴ個の第３のＭＣＰＴＴサーバによって管理されるＭＣＰＴＴグループを決定するように構成され、ここでＴ個の第３のＭＣＰＴＴサーバによって管理されるＭＣＰＴＴグループはＨ個のＭＣＰＴＴグループを含み、それぞれの第３のＭＣＰＴＴサーバは、Ｈ個のＭＣＰＴＴグループのうちの少なくとも１つのＭＣＰＴＴグループを管理し、第１の通信デバイスは、Ｔ個の第３のＭＣＰＴＴサーバのうちのいずれかのＭＣＰＴＴサーバである、そして
プロセッサ６１は更に、プロセッサ６１が、受信機６３を介して、第１の通信デバイスによって送出された第１の関連付け応答を受信した後に、送信機６２を介して、第３の関連付け応答をＵＥへ第１の関連付け応答に従って送出するように構成され、ここで第３の関連付け応答は、ＭＣＰＴＴユーザがＨ個のＭＣＰＴＴグループのうちのＬ個のＭＣＰＴＴグループと成功裏に関連付けられていることを示すために使用され、Ｍ≦Ｌ≦Ｈであり、Ｌは整数である。
【０３２１】
この実施例における通信デバイスは、本発明の方法の前述の実施例における第２の通信デバイスによって実行される解決策を実行するように構成され得る。これらの実施原理及び技術的効果は類似しており、詳細はここでは再度説明されない。
【０３２２】
グループデータベースの配置のために構成された前述のネットワークデバイスは、機能エンティティであり、グループ構成データなどの何らかのグループ関連情報及びサブスクリプション関連情報を主として保存すると共に、ネットワークデバイスに記憶されたデータを処理する許可された動作を行い得ることに留意されたい。任意選択で、別の機能が更に、グループデータベースの配置のために構成されたネットワークデバイスに配置されてもよく、この別の機能は本明細書では限定されない。
【０３２３】
当業者であれば、方法実施例のステップの全部又は一部が、関連するハードウェアに命令するプログラムによって実施され得ることが理解されよう。プログラムは、コンピュータ読み取り可能な記憶媒体に記憶されることができる。プログラムが走ると、方法実施例のステップが実行される。前述の記憶媒体は、読出し専用メモリ（英語：Ｒｅａｄ−Ｏｎｌｙ  Ｍｅｍｏｒｙ，略称ＲＯＭ）、ランダムアクセスメモリ（英語：Ｒａｎｄｏｍ  Ａｃｃｅｓｓ  Ｍｅｍｏｒｙ，略称ＲＡＭ）、磁気ディスク、又は光ディスクなどの、プログラムコードを記憶できる任意の媒体を含む。
【０３２４】
最後に、前述の実施例は、本発明の技術的解決法を説明するためのものにすぎず、本発明を限定するものではないことに留意されたい。本発明は、前述の実施例を参照して詳細に説明されたが、当業者は、本発明の実施例の技術的解決法の範囲から逸脱することなく、前述の実施例において説明された技術的解決法になお修正を加えること、又は、これらの一部又は全部の技術的特徴に対し等価置換を行うことが可能である、ということを理解すべきである。
【図１】
0006572324.tif 000002
【図２】
0006572324.tif 000003
【図３】
0006572324.tif 000004
【図４】
0006572324.tif 000005
【図５】
0006572324.tif 000006
【図６】
0006572324.tif 000007
【図７】
0006572324.tif 000008
【図８】
0006572324.tif 000009
【図９】
0006572324.tif 000010
【図１０】
0006572324.tif 000011
【図１１】
0006572324.tif 000012
【図１２】
0006572324.tif 000013
【図１３】
0006572324.tif 000014
【図１４】
0006572324.tif 000015
【図１５】
0006572324.tif 000016
【図１６】
0006572324.tif 000017
【図１７】
0006572324.tif 000018
【図１８】
0006572324.tif 000019